(57)【要約】【課題】  印刷スタートキーまたは試し刷りキーの無効化を図ることで追加印刷を禁止することも含めて印刷物の機密を保持すると共に、ドラムユニットのみを装置本体から離脱不可に構成したとしても、ドラムユニット以外の各種ユニットの離脱によっても、印刷ドラムに巻装されている製版済みのマスタ等の機密情報を見たり、紙等に転写したり、あるいは排版ボックス内に排版された排版済みのマスタの機密情報も取り出して収集することができるという問題点を解決する。【解決手段】  機密保持モードが設定されたとき、プロッタユニット２５、ドラムユニット５０、排版ユニット８２の本体フレーム２からの離脱を阻止するためのプロッタロック機構３８、ドラムロック機構５９、排版ロック機構８９と、ドラムユニット５０および排版ユニット８２の着脱の際に開閉される前ドアカバー１１１のドアロック機構１１４とを具備する。【選択図】      図１
2005153224.tif 000002
【特許請求の範囲】
【請求項１】
製版済みの版を巻装する印刷ドラムを備え装置本体に対して着脱自在なドラムユニット、原稿の画像を読み取る原稿読取手段を備え上記装置本体に対して開閉自在な読取ユニット、版を製版する製版手段を備え上記装置本体に対して着脱自在な製版ユニットおよび上記印刷ドラムから剥離された使用済みの版を収納する収納手段を備え上記装置本体に対して着脱自在な排版ユニットのうちの上記ドラムユニット単独の場合を除く少なくとも一つのユニットを具備し、上記印刷ドラム上の製版済みの版に用紙を押し付けることにより印刷画像を形成する印刷装置において、
印刷を行う者以外に上記印刷ドラム上の製版済みの版の情報および印刷物の情報を知られたくない場合に機密保持モードを設定する機密保持モード設定手段と、
上記機密保持モード設定手段により上記機密保持モードが設定されたとき、上記少なくとも一つのユニットの上記装置本体からの離脱を阻止するための、上記少なくとも一つのユニットごとに配設されたロック手段とを有することを特徴とする印刷装置。
【請求項２】
請求項１記載の印刷装置において、
上記機密保持モード設定手段からの信号に基づいて、上記少なくとも一つのユニットの上記装置本体からの離脱を阻止するように上記少なくとも一つのユニットごとに配設されたロック手段を制御する第１の制御手段を有することを特徴とする印刷装置。
【請求項３】
請求項１記載の印刷装置において、
上記排版ユニットと、
上記排版ユニットに対応して配設された排版ロック手段と、
上記機密保持モード設定手段からの信号に基づいて、上記排版ユニットの上記装置本体からの離脱を阻止するように上記排版ロック手段を制御する第２の制御手段を有することを特徴とする印刷装置。
【請求項４】
請求項１、２または３記載の印刷装置において、
上記機密保持モードを解除する機密保持モード解除手段と、
上記機密保持モード解除手段からの信号に基づいて、上記印刷ドラム上の上記製版済みの版を用いて追加印刷を行わせる第３の制御手段とを有することを特徴とする印刷装置。
【請求項５】
請求項１ないし４の何れか一つに記載の印刷装置において、
上記少なくとも一つのユニットを上記装置本体から着脱する際に開閉される開閉手段と、
上記機密保持モード設定手段により上記機密保持モードが設定されたとき、上記開閉手段の開放を阻止する開閉ロック手段とを有することを特徴とする印刷装置。
【請求項６】
請求項５記載の印刷装置において、
上記機密保持モード設定手段からの信号に基づいて、上記開閉手段の開放を阻止するように上記開閉ロック手段を制御する第４の制御手段を有することを特徴とする印刷装置。
【請求項７】
請求項１ないし６の何れか一つに記載の印刷装置において、
上記機密保持モード設定手段は、原稿の画像を読み取る原稿読取手段と、該原稿の特定領域に形成された読み取り可能な標識と、上記原稿読取手段からの上記標識の読み取りに係る信号に基づいて、上記機密保持モードを自動的に設定する第５の制御手段とを有することを特徴とする印刷装置。
【請求項８】
製版済みの版を巻装する印刷ドラムを備え装置本体に対して着脱自在なドラムユニットを具備し、上記印刷ドラム上の製版済みの版に用紙を押し付けることにより印刷画像を形成する印刷装置において、
上記ドラムユニットを上記装置本体から着脱する際に開閉される開閉手段と、
印刷を行う者以外に上記印刷ドラム上の製版済みの版の情報および印刷物の情報を知られたくない場合に機密保持モードを設定する機密保持モード設定手段と、
上記機密保持モード設定手段により上記機密保持モードが設定されたとき、上記ドラムユニットの上記装置本体からの離脱を阻止するドラムロック手段および上記開閉手段の開放を阻止する開閉ロック手段とを有することを特徴とする印刷装置。
【請求項９】
製版済みの版を巻装する印刷ドラムを具備し、上記印刷ドラム上の製版済みの版に用紙を押し付けることにより印刷画像を形成する印刷装置において、
上記印刷ドラムを覆う位置と該印刷ドラムを露出する位置との間で開閉自在に配設された開閉手段と、
印刷を行う者以外に上記印刷ドラム上の製版済みの版の情報および印刷物の情報を知られたくない場合に機密保持モードを設定する機密保持モード設定手段と、
上記機密保持モード設定手段により上記機密保持モードが設定されたとき、上記開閉手段の開放を阻止する開閉ロック手段とを有することを特徴とする印刷装置。
【発明の詳細な説明】
【技術分野】
【０００１】
本発明は、印刷装置に関し、さらに詳しくは、機密保持機能を有する孔版印刷装置等を含む印刷装置に関する。
【背景技術】
【０００２】
従来より、簡便な印刷方式として感熱デジタル式の孔版印刷装置が知られている。これは、印刷用版の一例としての熱可塑性樹脂フィルムを有する感熱孔版マスタ（以下、「マスタ」という）に微細な発熱素子が１列ないしは複数列に並んだサーマルヘッドを接触させ、この発熱素子に対しパルス的に通電を行いながらマスタをプラテンローラ等のマスタ搬送手段で搬送することにより、サーマルヘッドの発熱素子に接触しているマスタの熱可塑性樹脂フィルム部分を画像情報に基づいて加熱溶融穿孔することで、マスタに穿孔画像を形成した後、この穿孔されたマスタ（以下、「製版済みのマスタ」という）を版胴とも呼ばれる印刷ドラムの外周面に巻き付け、プレスローラ等の押圧手段によって印刷用紙（以下、「用紙」という）を版胴の外周面に押し付けることで版胴の開孔部分およびマスタの穿孔部分からインキを滲出させ、このインキを用紙に転移させて印刷画像を得るものである。以下、この明細書および特許請求の範囲等では、版胴のことを「印刷ドラム」と呼ぶこととし、印刷ドラムの細部構成について説明する場合に限り版胴についても言及することとする。
【０００３】
このような孔版印刷装置では、印刷が終了して原稿を変更した後、次の印刷を行う際に、先ず、ユーザが製版スタートキーを押す操作を行うことにより、排版手段が印刷ドラムの版胴外周面から使用済みのマスタを剥離し、例えばサーマルヘッド等からなる製版手段によって新しく製版された製版済みのマスタを印刷ドラムの版胴外周面に自動的に巻装させるように構成されている。これは、印刷終了直後に印刷ドラムより使用済みのマスタを剥離すると、次の印刷に先立って新しい製版済みのマスタが巻装されるまでは印刷ドラムの外周が大気に晒された状態で放置されることとなり、この放置状態が長時間に及ぶと、印刷ドラムの外周面や開孔部分に残留したインキが硬化し、次版の印刷に際してマスタへのインキの流動が阻害されて良好な印刷が行われないことがあるため、使用済みのマスタを印刷ドラムの外周面上に巻装させておくことによって、印刷ドラム外周面の乾燥を防止してそのインキの流動性を確保するためである。
【０００４】
けれども、上述のように使用済みのマスタを印刷ドラムに巻装させたまま放置しておくと、孔版印刷装置のユーザが交代して製版スタートキーを押さずに印刷スタートキーまたは試し刷りキーを押した場合には、前ユーザの原稿がそのまま印刷されてしまう。このことは、原稿情報としての原稿の内容が他のユーザに知られては困る内容のものや複製されては困る内容のもの、つまり機密を保持すべきものであるとき、大きな問題となる。この問題点を解決するため、原稿の機密漏洩を防止するための一連の動作に係る機密保持モードを設け、このモード設定時においては、機密に係る原稿を製版した製版済みのマスタを廃棄すると共に無製版のマスタとも呼ばれる新しい未製版のマスタを版胴に巻装することにより、原稿の機密を保持する技術が知られている（例えば、特許文献１参照）。
【０００５】
特開昭５９−１９８１８５号公報（特許文献１）に開示された技術の有する問題点、すなわち機密保持モード時において未製版のマスタを印刷ドラムに巻装するため、消耗品であるインキが未製版のマスタに付着してこのマスタと共に排版・廃棄されることで、そのマスタおよびインキが無駄となってコストアップしてしまうという問題点を解消する技術も既に公知である（例えば、特許文献２ないし４参照）。
【０００６】
ちなみに、特開昭６３−７４６７９号公報（特許文献２）に開示された技術は、印刷部に原稿をセットした状態でスタートキーを押すと排版動作に続いて製版動作、印刷動作を自動的に行い、原稿をセットしない状態でスタートキーを押すと印刷動作のみを行う孔版印刷装置において、機密保持キーからの入力がメモリーに入力されると、原稿がセットされていない状態では印刷動作を行わないように構成されていて、マスタを無駄にすることなく原稿の機密を保持することができるものであった。特許第２７１６９６４号公報（特許文献３）に開示された技術は、秘密保持キーを操作して制御部に機密保持モードが記憶されると、別原稿がセットされないと印刷が行われず、また記憶された機密保持モードは電源が切られても記憶されたままとなっているように構成されていて、マスタを無駄にすることなく原稿の機密を保持することができると共に、使用済原紙と無製版の新原紙とを交換しなくてすんで作業員の無駄な待機時間を必要とすることのない孔版印刷機を提供できるものであった。
【０００７】
特開平８−１８３２３８号公報（特許文献４）に開示された技術は、上記特開昭５９−１９８１８５号公報および上記特開昭６３−７４６７９号公報にそれぞれ開示された技術を適用し、機密保持モード状態で印刷動作を規制することにより原稿の機密保持を行おうとしても、最近の多くの孔版印刷装置に設けられ印刷に先立って用紙に対する原稿画像の位置や原稿画像の濃度などを確認するために、少数枚の印刷を行うための試し刷り機能を割り付けられた試し刷りキーが押された場合には原稿の機密が保持されずにそのまま印刷されてしまったり、装置本体より印刷ドラム（版胴）を離脱して巻装されたマスタを印刷ドラムから剥離させることによりその内容を判読することができたりすることで、機密保持を行うことができないという問題点を解消できるものであった。
【０００８】
すなわち、上記特開平８−１８３２３８号公報に開示された技術によれば、機密保持キーが押されると、制御手段は製版スタートキーからの入力のみを有効とすると共に、製版スタートキーが押されたときのみ機密保持モードを解除し、記憶手段は、機密保持キーが押されると、製版スタートキーが押されて機密保持モードが解除されるまで、機密保持モードが設定されたことを記憶するので、機密保持モード時において印刷スタートキーまたは試し刷りキーが押されても印刷動作または試し刷り動作は行われず、印刷物の機密を保持することができ、また、この機密保持モードを解除する手段が、製版スタートキーの押下のみであるため、機密内容を製版されたマスタが排版手段によって版胴より剥離、廃棄されないと機密保持モードが解除されないので、製版されたマスタから機密が漏洩することも防止できる。さらに、機密保持モードを記憶する記憶手段が、機密保持モードが解除されるまで機密保持モードを記憶しているので、機密保持モード時において、孔版印刷装置の電源が落とされても機密保持モードが解除されることがなく、機密保持性が高いという効果を奏するものであった。加えて、機密保持キーが押されると、制御手段は版胴の装置本体からの離脱を禁止するので、孔版印刷装置より版胴を外し、他の同種の孔版印刷装置によって印刷を行うことで機密が漏洩する事態や、版胴より製版済みのマスタを剥離させ、マスタそのものを解読することで機密が漏洩する事態をも防止することができるという効果も奏するものであった。
【０００９】
【特許文献１】特開昭５９−１９８１８５号公報
【特許文献２】特開昭６３−７４６７９号公報
【特許文献３】特許第２７１６９６４号公報
【特許文献４】特開平８−１８３２３８号公報
【発明の開示】
【発明が解決しようとする課題】
【００１０】
しかしながら、現在の孔版印刷装置では、操作性の向上や、マスタや用紙のジャム処理向上、サービス性の向上が進んでおり、後述するように印刷ドラムの周囲に配置された各手段・装置部位が孔版印刷装置の装置本体に対して着脱自在な各種ユニットを構成していたり、あるいは各種ユニットを着脱する際に開閉したり、印刷ドラムを始めとしたその周りの駆動部にユーザが直接触れないようにする安全上の配慮等から各種のドア（開閉手段）を備えていたりする。このような各種ユニットの具体例としては、原稿の画像を読み取る原稿読取装置を備えた読取ユニット（スキャナユニットとも呼ばれる）、製版済みのマスタを外周に巻装して回転可能な印刷ドラムおよびこの印刷ドラム上の製版済みのマスタにインキを供給するインキ供給手段等を備えて構成されたドラムユニット（版胴ユニットとも呼ばれる）、マスタを加熱・製版する製版手段を備え該製版手段により作成された製版済みのマスタを印刷ドラムに給版する製版ユニット（プロッタユニットとも呼ばれる）、印刷ドラムから剥離した使用済みのマスタを収納する排版ボックスを備えた排版ユニットが挙げられる。上記ドアの具体例としては、上記ドラムユニットや排版ユニットを着脱する際にユーザに対向して設けられた前ドアカバー等が挙げられる。
【００１１】
このため、上記各種ユニットを装置本体から離脱させた際や前ドアカバーを開放した際に、その周囲から印刷装置の内部を簡単に覗いたり、機密情報の収集ないし機密情報盗用行為が行い易くなったりする。つまり、上記技術のように印刷スタートキーまたは試し刷りキーの無効化を図ることで追加印刷を禁止することも含めて印刷物の機密を保持すると共に、ドラムユニットのみを装置本体から離脱不可に構成したとしても、ドラムユニット以外の上記各種ユニットの離脱によっても、印刷ドラムに巻装されている製版済みのマスタや使用済みのマスタの機密情報を見たり、紙等に転写したり、あるいは排版ボックス内に収納・排版された排版済みのマスタの機密情報もそれから容易に取り出して収集することができるという問題点を有している。
【００１２】
この問題点は、例えば特開平８−１８３２３８号公報記載の技術のように、機密保持モード設定時においてドラムユニットだけが従来のロック機構によって所定の位置にロック・固定されていても、印刷装置の機種のレイアウトの違いによっては前ドアカバーを開けると、装置本体側のフレームと印刷ドラムとの隙間から製版済みのマスタや使用済みのマスタの機密情報を見たり用紙等に転写したりすることが可能なことで生じる虞もある。この事情は、ドラムユニット以外の上記各種ユニットの離脱や開閉を行う場合でも同様である。
【００１３】
従って、本発明は、上述した事情に鑑みてなされたものであって、孔版印刷装置を含む印刷装置において、機密を保持する動作を行わせる機密保持モードが設定されたとき、新しい未製版のマスタを印刷ドラムに巻装することが元でマスタおよびインキを無駄にしないことは勿論のこと、印刷ドラム上のマスタ（版）の機密情報を見たり転写したりすることができなくすることにより、マスタ上の機密情報の外部流出を防止できる印刷装置を提供することを第１の目的とする。
【００１４】
第２の目的は、機密保持モードが解除されたとき、機密情報に係る新たなマスタを製版してこれを印刷ドラムに巻装することなく、追加印刷を行える印刷装置を提供することにある。第３の目的は、排版ボックス内に収納・排版された排版済みのマスタの機密情報を取り出して収集することを防止できるようにすることで排版済みの版の廃棄管理が容易に行えるようにすることにある他、後述する利点・効果を奏する印刷装置を提供することにある。
【課題を解決するための手段】
【００１５】
上述した課題を解決すると共に上述した目的を達成するために、各請求項ごとの発明では、以下のような特徴ある手段・構成を採っている。
請求項１記載の発明は、製版済みの版を巻装する印刷ドラムを備え装置本体に対して着脱自在なドラムユニット、原稿の画像を読み取る原稿読取手段を備え上記装置本体に対して開閉自在な読取ユニット、版を製版する製版手段を備え上記装置本体に対して着脱自在な製版ユニットおよび上記印刷ドラムから剥離された使用済みの版を収納する収納手段を備え上記装置本体に対して着脱自在な排版ユニットのうちの上記ドラムユニット単独の場合を除く少なくとも一つのユニットを具備し、上記印刷ドラム上の製版済みの版に用紙を押し付けることにより印刷画像を形成する印刷装置において、印刷を行う者以外に上記印刷ドラム上の製版済みの版の情報および印刷物の情報を知られたくない場合に機密保持モードを設定する機密保持モード設定手段と、上記機密保持モード設定手段により上記機密保持モードが設定されたとき、上記少なくとも一つのユニットの上記装置本体からの離脱を阻止するための、上記少なくとも一つのユニットごとに配設されたロック手段とを有することを特徴とする。
【００１６】
ここで、「少なくとも一つのユニットの上記装置本体からの離脱を阻止するための」ロック手段とは、後述する効果を奏するように印刷ドラム上の製版済みの版の機密情報や使用済みの版の機密情報（排版ユニットの収納手段に収納された排版済みの版の機密情報も含む）を見たり、用紙に転写したりすることができない位置で、少なくとも一つのユニットの装置本体からの離脱ないしは開閉を阻止すべくロック・固定するロック手段を配置すればよいことを意味する。それ故に、孔版印刷装置等を含む印刷装置にあっては、印刷ドラム周りの構成は機種ごとに様々に異なる場合があるから、本発明のロック手段の配置状態には、後述する実施形態のように装置本体内に完全に装着・セットされた状態でロックするロック手段の他に、少なくとも一つのユニットの離脱途中ないしは開閉途中において、印刷ドラム上の製版済みの版の機密情報や使用済みの版の機密情報（排版ユニットの収納手段に収納された排版済みの版の機密情報も含む）を見たり、用紙に転写したりすることができる場合にはそれを阻止する位置での少なくとも一つのユニットをロックする場合も含まれる。
【００１７】
「上記少なくとも一つのユニットの上記装置本体からの離脱を阻止するための、上記少なくとも一つのユニットごとに配設されたロック手段」とは、後述する実施形態等で例示したように安全上の配慮や、排版の廃棄、サプライの交換・補充（マスタやインキ等）、マスタや用紙のジャム処理あるいは保守点検整備等のために配設される離脱禁止手段ないしは開閉禁止手段とも呼べるロック手段を兼ねている場合の他に、後述する実施形態等の利点や効果（構成の簡素化や省エネ化）をそれ程望まなくてもよいのであれば、これとは独立して配設することを排除するものではなく、別に配設しても構わない。
【００１８】
「排版ユニット」には、後述する実施形態で例示するタイプの他に、収納手段（排版容器・排版ボックス）内に排版済みの版を圧縮する圧縮板等の圧縮部材を備えずに構成された実質的に収納手段に把持手段としての取っ手を取り付けたような簡素な構成のものも含まれる。
【００１９】
印刷ドラム上の製版済みの版に用紙を押し付けることにより印刷画像を形成する印刷装置の種類としては、印刷ドラムに対して相対的に接離自在な押圧手段の構成例がある。これには、印刷ドラムの版胴外周面に接離自在な押圧手段としてのプレスローラを印刷ドラムの版胴版胴に押し付けるプレスローラ方式と、印刷ドラムの版胴外周面に接離自在な押圧手段としての圧胴を印刷ドラムの版胴外周面に押し付けて印刷を行う圧胴接離方式と、圧胴の外周面に接離自在な印刷ドラムの版胴外周面を圧胴の外周面に押し付けて印刷を行う版胴接離方式と、それらの併用方式とがある。版胴接離方式には、印刷ドラム全体を圧胴に向けて押し付けるドラム全体接離方式と、印刷ドラム（版胴）内の中押しローラを圧胴に向けて押し出し、印刷ドラム（版胴）のみを押し付ける版胴押し出し方式とがある。版胴押し出し方式としては、例えば、特開平１−２０４７８１号や、特開平３−１９７０７８号あるいは特開平３−２５４９８４号公報等に開示されているような金属製スクリーンを内側から外側に向けて膨出させる、いわゆる中押しローラ方式（インキ供給ローラを兼ねるものも含む）のものが挙げられる。
【００２０】
請求項２記載の発明は、請求項１記載の印刷装置において、上記機密保持モード設定手段からの信号に基づいて、上記少なくとも一つのユニットの上記装置本体からの離脱を阻止するように上記少なくとも一つのユニットごとに配設されたロック手段を制御する第１の制御手段を有することを特徴とする。
【００２１】
請求項３記載の発明は、請求項１記載の印刷装置において、上記排版ユニットと、上記排版ユニットに対応して配設された排版ロック手段と、上記機密保持モード設定手段からの信号に基づいて、上記排版ユニットの上記装置本体からの離脱を阻止するように上記排版ロック手段を制御する第２の制御手段を有することを特徴とする。
【００２２】
請求項４記載の発明は、請求項１、２または３記載の印刷装置において、上記機密保持モードを解除する機密保持モード解除手段と、上記機密保持モード解除手段からの信号に基づいて、上記印刷ドラム上の上記製版済みの版を用いて追加印刷を行わせる第３の制御手段とを有することを特徴とする。
【００２３】
請求項５記載の発明は、請求項１ないし４の何れか一つに記載の印刷装置において、上記少なくとも一つのユニットを上記装置本体から着脱する際に開閉される開閉手段と、上記機密保持モード設定手段により上記機密保持モードが設定されたとき、上記開閉手段の開放を阻止する開閉ロック手段とを有することを特徴とする。
【００２４】
ここで、「開閉手段」としては、後述する実施形態のドラムユニットおよび排版ユニットを装置本体から着脱する際に開閉される開閉手段としての例えば前ドアカバーを含む他、印刷装置の機種のレイアウトの違いによっては例えば製版ユニットや排版ユニットの着脱口がドラムユニットと同じ側にならない場合もある。このような場合、装置本体側と製版ユニットや排版ユニットとの隙間から印刷ドラム上の版の情報や排版ユニットの収納手段内の版の情報を見たり用紙に転写したりすることができる可能性もあるから、このような場合は製版ユニットや排版ユニットを覆う開閉手段に対応したロック手段を備えることを意味する。
【００２５】
請求項６記載の発明は、請求項５記載の印刷装置において、上記機密保持モード設定手段からの信号に基づいて、上記開閉手段の開放を阻止するように上記開閉ロック手段を制御する第４の制御手段を有することを特徴とする。
【００２６】
請求項７記載の発明は、請求項１ないし６の何れか一つに記載の印刷装置において、上記機密保持モード設定手段は、原稿の画像を読み取る原稿読取手段と、該原稿の特定領域に形成された読み取り可能な標識と、上記原稿読取手段からの上記標識の読み取りに係る信号に基づいて、上記機密保持モードを自動的に設定する第５の制御手段とを有することを特徴とする。
【００２７】
請求項８記載の発明は、製版済みの版を巻装する印刷ドラムを備え装置本体に対して着脱自在なドラムユニットを具備し、上記印刷ドラム上の製版済みの版に用紙を押し付けることにより印刷画像を形成する印刷装置において、上記ドラムユニットを上記装置本体から着脱する際に開閉される開閉手段と、印刷を行う者以外に上記印刷ドラム上の製版済みの版の情報および印刷物の情報を知られたくない場合に機密保持モードを設定する機密保持モード設定手段と、上記機密保持モード設定手段により上記機密保持モードが設定されたとき、上記ドラムユニットの上記装置本体からの離脱を阻止するドラムロック手段および上記開閉手段の開放を阻止する開閉ロック手段を有することを特徴とする。
【００２８】
請求項８記載の発明を引用して以下の技術構成を採ることができる。すなわち、第１の技術構成は、請求項８記載の印刷装置において、上記機密保持モード設定手段からの信号に基づいて、上記ドラムユニットの上記装置本体からの離脱を阻止するように上記ドラムロック手段を制御し、かつ、上記開閉手段の開放を阻止するように上記開閉ロック手段を制御する第６の制御手段を有することを特徴とする。第２の技術構成は、第１の技術構成記載の印刷装置において、上記機密保持モード設定手段は、原稿の画像を読み取る原稿読取手段と、該原稿の特定領域に形成された読み取り可能な標識と、上記原稿読取手段からの上記標識の読み取りに係る信号に基づいて、上記機密保持モードを自動的に設定する第７の制御手段とを有することを特徴とする。
【００２９】
請求項９記載の発明は、製版済みの版を巻装する印刷ドラムを具備し、上記印刷ドラム上の製版済みの版に用紙を押し付けることにより印刷画像を形成する印刷装置において、上記印刷ドラムを覆う位置と該印刷ドラムを露出する位置との間で開閉自在に配設された開閉手段と、印刷を行う者以外に上記印刷ドラム上の製版済みの版の情報および印刷物の情報を知られたくない場合に機密保持モードを設定する機密保持モード設定手段と、上記機密保持モード設定手段により上記機密保持モードが設定されたとき、上記開閉手段の開放を阻止する開閉ロック手段とを有することを特徴とする。
【００３０】
請求項９記載の発明を引用して以下の技術構成を採ることができる。すなわち、第３の技術構成は、請求項９記載の印刷装置において、上記機密保持モード設定手段からの信号に基づいて、上記開閉手段の開放を阻止するように上記開閉ロック手段を制御する第８の制御手段を有することを特徴とする。第４の技術構成は、第３の技術構成記載の印刷装置において、上記機密保持モード設定手段は、原稿の画像を読み取る原稿読取手段と、該原稿の特定領域に形成された読み取り可能な標識と、上記原稿読取手段からの上記標識の読み取りに係る信号に基づいて、上記機密保持モードを自動的に設定する第９の制御手段とを有することを特徴とする。
【発明の効果】
【００３１】
以上述べたように、本発明によれば、上述したような従来技術の有する諸問題点を解決して新規な印刷装置を提供することができる。請求項ごとの効果を挙げれば次のとおりである。
請求項１、２記載の発明によれば、新しい未製版のマスタを印刷ドラムに巻装することが元でマスタおよびインキを無駄にしないことは勿論のこと、印刷装置の機種によるレイアウトの違いに拘わらず、印刷ドラム上の版の機密情報を見たり転写したりすることができなくなることによって、機密情報の外部流出を防止できて、確実な機密保持を行うことができる。
【００３２】
請求項３記載の発明によれば、少なくとも排版ロック手段を制御する第２の制御手段を有することにより、請求項１記載の発明の効果に加えて、収納手段内の排版の機密情報の外部流出をより確実に防止でき、排版済みの版の廃棄管理が容易に行える。
【００３３】
請求項４記載の発明によれば、第３の制御手段は、機密保持モード解除手段からの信号に基づいて、印刷ドラム上の製版済みの版を用いて追加印刷を行わせることにより、請求項１、２または３記載の発明の効果に加えて、機密情報に係る新たな版を製版してこれを印刷ドラムに巻装することなく、追加印刷を行うことができる。
請求項５、６記載の発明によれば、請求項１ないし４の何れか一つに記載の発明の効果をより確実に奏する。
【００３４】
請求項７記載の発明によれば、請求項１ないし６の何れか一つに記載の発明の効果に加えて、機密が漏れては困る第三者に対して、機密保持モード設定手段が例えば第三者によって視認できる機密保持キーを有する場合と比較して、機密保持機能をさらに高めることができると共に、ユーザが機密を要する所定の印刷終了後に例えば機密保持キーを押すのを忘れてしまって機密保持モード解除となってしまうことを未然に防ぐことができるので、機密情報の漏洩をさらに確実に防止することができる。
【００３５】
請求項８記載の発明によれば、機密保持モード設定手段により機密保持モードが設定されたとき、ドラムユニットの装置本体からの離脱を阻止するドラムロック手段および開閉手段の開放を阻止する開閉ロック手段を有する構成としたので、簡素な構成の印刷装置においても、新しい未製版のマスタを印刷ドラムに巻装することが元でマスタおよびインキを無駄にしないことは勿論のこと、印刷ドラム上の版の機密情報を見たり転写したりすることができなくなることによって、機密情報の外部流出を防止できて、確実な機密保持を行うことができる。
【００３６】
請求項９記載の発明によれば、機密保持モード設定手段により機密保持モードが設定されたとき、印刷ドラムを覆う開閉手段の開放を阻止する開閉ロック手段を有する構成としたので、より簡素な構成の印刷装置においても、新しい未製版のマスタを印刷ドラムに巻装することが元でマスタおよびインキを無駄にしないことは勿論のこと、印刷ドラム上の版の機密情報を見たり転写したりすることができなくなることによって、機密情報の外部流出を防止できて、確実な機密保持を行うことができる。
【発明を実施するための最良の形態】
【００３７】
以下、図を参照して本発明を実施するための最良の形態および実施例を含む本発明の実施の形態（以下、「実施形態」という）を説明する。実施形態や変形例等に亘り、同一の機能および形状等を有する部材や構成部品等の構成要素については、同一符号を付すことにより一度説明した後ではその説明を省略する。図および説明の簡明化を図るため、図に表されるべき構成要素であっても、その図において特別に説明する必要がないものは適宜断わりなく省略することがある。公開特許公報等の構成要素を引用して説明する場合は、その符号に括弧を付して示し、各実施形態等のそれと区別するものとする。
【００３８】
（第１の実施形態）
まず、図１を参照して、本発明を適用した第１の実施形態に係る印刷装置の一例としての孔版印刷装置１の全体構成について説明する。図１において、符号２は、孔版印刷装置１の装置本体としての骨組みをなす本体フレームを示す。本体フレーム２の上部にある、符号３で示す部分は原稿読取部を、その下方の符号４で示す部分は製版書込み部を、その左側に符号５で示す部分は印刷部を、符号５１は印刷部５に配設された印刷ドラムを、その左の符号６で示す部分は排版部を、製版書込み部４の下方の符号７で示す部分は給紙部を、印刷部５の左下方の符号８で示す部分は排紙部を、それぞれ示している。
【００３９】
原稿読取部３は、原稿受け台１０上から移送される原稿１１の画像を読み取る周知の機能・構成を有する。原稿読取部３は、原稿受け台１０上に配置された複数枚の原稿１１を一枚ずつ分離してその最下部の原稿から順次、分離ローラ１４へ案内する分離ブレード１２と、分離ブレード１２により分離された最下部の原稿を前原稿搬送ローラ対１３ａ，１３ｂ間へ送り出す分離ローラ１４と、該ローラ対１３ａ，１３ｂにより搬送される原稿１１を原稿排出台１５上に送出する後原稿搬送ローラ対１６ａ，１６ｂと、前原稿搬送ローラ対１３ａ，１３ｂと後原稿搬送ローラ対１６ａ，１６ｂとの間に配設されたコンタクトガラス１７と、コンタクトガラス１７上を搬送される原稿１１の表面を照明する蛍光灯１８と、原稿１１の表面からの反射光を折り返し反射するミラー１９と、ミラー１９により反射された反射光をレンズ２０を介して受光するＣＣＤ（電荷結合素子）等からなる画像センサ２１とを有する。
【００４０】
画像センサ２１は、原稿１１の画像を読み取る原稿読取手段としての機能を有し、レンズ２０を介して受光した反射光に対応して光電変換をし、これにより得られた画像信号を本体フレーム２の図示しないアナログ／デジタル（以下、「Ａ／Ｄ」と略記する）変換部に入力する。前原稿搬送ローラ対１３ａ，１３ｂと後原稿搬送ローラ対１６ａ，１６ｂとは、図示しないプーリおよび無端ベルト等を備えた駆動力伝達手段を介して連結された原稿読取駆動手段としての図示しない原稿搬送モータによって回転駆動される。原稿読取部３は、本実施形態では後述するように製版書込み部４が製版ユニットとしてのプロッタユニット２５を備えていて、プロッタユニット２５を本体フレーム２から外部に引き出し・離脱させてマスタ２６の補給・交換等を行えるように構成されているため、図１において例えば左側にスライド・開閉可能に、あるいは一部を中心として揺動・開閉可能に配設されたりしておらず、本体フレーム２の上部に固定されている。
原稿読取部３における上記原稿搬送モータ等の制御対象駆動手段（アクチュエータ）を、図１２において原稿画像読取駆動部２２として総括的に表す。
【００４１】
製版書込み部４は、印刷用版の一例としてのマスタ２６を製版する機能・構成を有する他、製版済みのマスタ２６ｃを印刷部５に給版する給版手段としての一部の機能・構成も有する。製版書込み部４は、マスタ２６を製版する製版手段としてのサーマルヘッド２８を備え本体フレーム２に対して着脱自在に構成されたプロッタユニット２５と、プロッタユニット２５を着脱自在に支持・案内する製版ユニット着脱手段としてのレール外３５と、後述する機密保持モード設定手段により機密保持モードが設定されたとき、プロッタユニット２５の本体フレーム２からの離脱を阻止するための製版ロック手段としてのプロッタロック機構３８とから主に構成されている。プロッタロック機構３８は、図１では破線で矩形状に囲んで模式的に示す。
【００４２】
プロッタユニット２５は、マスタ２６が芯管２６ｂの周りに巻かれてロール状に形成されたマスタロール２６ａからマスタ２６を繰り出し可能に貯容・支持するマスタロール支持手段としてのマスタ支持部材２７と、マスタロール２６ａから繰り出されるマスタ２６を上記Ａ／Ｄ変換部および図示しない製版制御部で処理されて送出されるデジタル画像信号に基づき加熱溶融穿孔するサーマルヘッド２８と、このサーマルヘッド２８にマスタ２６を押し付けながら回転し搬送するプラテンローラ２９と、プラテンローラ２９と印刷ドラム５１との間に配置されマスタ２６を所定の長さに切断するマスタ切断手段としてのカッタ３０と、印刷ドラム５１とカッタ３０との間に配置されマスタ２６の案内をするガイド板３２と、印刷ドラム５１とガイド板３２との間に配置されプラテンローラ２９により搬送される製版済みの版としての製版済みのマスタ２６ｃを印刷ドラム５１へ搬送・給版する、その軸部に電磁クラッチ（図示せず）を介装された給版ローラ対３１ａ，３１ｂと、印刷ドラム５１と給版ローラ対３１ａ，３１ｂとの間に配置され製版済みのマスタ２６ｃを印刷ドラム５１へ案内するガイド板対３３と、マスタ２６を搬送するマスタ搬送方向Ｙ（副走査方向でもある）と平行に紙面の手前側および奥側に配置された一対の製版側板３６と、製版側板対３６を互いに強固に連結・固定する連結部材３７ａ，３７ｂと、連結部材３７ａに固着されその先端部に段付き溝３９ａを形成された被ロック部材としてのロックピン３９と、図１の紙面の手前側および奥側に一対配置されたレール外３５にそれぞれ緩く嵌合する一対のレール内３４と、連結部材３７ｂに一体的に取り付けられプロッタユニット２５の着脱時に操作する取っ手３７ｃとから主に構成されている。
【００４３】
プラテンローラ２９は、プーリおよび無端ベルト等の駆動力伝達手段を介してマスタ搬送駆動手段としてのステッピングモータ（図示せず）に連結されており、同ステッピングモータで回転駆動される。プラテンローラ２９は、また上記と同様の駆動力伝達手段を介して給版ローラ対３１ａ，３１ｂに連結されており、ステッピングモータで回転駆動される。製版ユニットは、簡素な構成のプロッタユニット２５に限らず、例えばカッタ３０と給版ローラ対３１ａ，３１ｂとの間にマスタにフロントテンションを付与するための搬送ローラ対を設けたり、製版済みのマスタを一時的に貯容するマスタストック手段を設けて俗に撓み製版を行えたりする複雑な公知の構成のものも用いられる。
【００４４】
プロッタユニット２５には、上記した連結部材３７ａ，３７ｂの他に、製版側板対３６を互いに強固に連結・固定すべく適宜の連結部材が配設されている。製版側板対３６には、マスタ支持部材２７がマスタロール２６ａを着脱自在とすべく取り付けられ、サーマルヘッド２８がプラテンローラ２９に接離自在に設けられている。また、製版側板対３６には、プラテンローラ２９が該プラテンローラ軸２９ａを介して回転可能に支持されると共に、給版ローラ対３１ａ，３１ｂが各軸を介して回転可能に支持されている他、例えば回転移動タイプの可動刃および固定刃からなるカッタ３０が作動可能に設けられ、ガイド板３２およびガイド板対３３が取付け・固定されている。
【００４５】
各レール外３５は、凸状形状をなしていて本体フレーム２に固着されている。各レール内３４は、凹状形状をなしていて各製版側板３６に固着されている。レール内３４は、レール外３５に支持・案内される被支持部材である。レール外３５は、製版ユニット着脱手段であると共に、さらに詳しくはプロッタユニット２５を挿脱自在にする製版ユニット挿脱手段とも呼べる。プロッタユニット２５は、上記製版ユニット着脱手段（製版ユニット挿脱手段）により、図１において実線で示すように本体フレーム２内に挿入されて製版・給版可能となる製版ロック位置と、二点鎖線で示すように抜き出されてマスタロール２６ａの交換やマスタのジャム処理等が可能となる非製版ロック位置との間でマスタ搬送方向Ｙおよびこれと反対方向に摺動可能かつ挿脱可能（着脱可能）となっている。
【００４６】
非製版ロック位置には、図１に示した位置の他、プロッタユニット２５の各レール内３４が各レール外３５から完全に抜き出された状態が含まれる。この状態では、印刷ドラム５１の版胴外周面に巻装された製版済みのマスタ２６ｃや使用済みの版としての使用済みのマスタ２６ｄの製版画像の機密情報を見たり、用紙に転写したりする機密情報の収集が可能となる。
【００４７】
上述した製版書込み部４のプロッタユニット２５およびレール外３５周りの構成は、例えば本願出願人が提案した特開平１０−２０２９９６号公報の段落「００２８」ないし「００３７」、さらに詳しくは図１ないし図３、図５および図６に示され、段落「００４５」ないし「００５６」に記載されている構成と同様であるため、重複説明を避けるためこれ以上の説明を省略する。
【００４８】
プロッタロック機構３８は、図２および図３に詳しく示すように、プロッタユニット２５が本体フレーム２内に装着されているとき、プロッタユニット２５を製版ロック位置に固定すべくロックピン３９の段付き溝３９ａと係合する位置（図３（ａ）参照）とプロッタユニット２５の本体フレーム２からの離脱を許すべくロックピン３９の段付き溝３９ａとの係合を解除する位置（図３（ｂ）参照）との間で摺動自在な製版ロック部材としての係合孔４０ａを備えたロック板４０と、その一端部がロック板４０の一端部に係止されロック板４０の係合孔４０ａを常にロックピン３９の段付き溝３９ａと係合する向きに付勢する付勢手段としての引張ばね４１と、ロック板４０の他端部にピン４３を介して緩く係止されロック板４０の係合孔４０ａをロックピン３９の段付き溝３９ａとの係合を解除する位置に引張ばね４１の付勢力に抗して引張り・移動させることが可能なロック部材解除駆動手段としてのソレノイド４２とから主に構成されている。
【００４９】
ロックピン３９の先端部は、プロッタユニット２５が製版ロック位置を占めるべく図２（ｂ）に示す矢印方向への移動時に、引張ばね４１の付勢力に抗してロック板４０の係合孔４０ａに弾撥的に嵌入しやすくするためにテーパ付きの先細り状に形成されている。本体フレーム２側には、プロッタユニット２５の連結部材３７ａに対向して設けられた製版フレーム４５が固着されている。引張ばね４１の他端部は、製版フレーム４５に植設されたピン４６に係止されている。ソレノイド４２は、プル型のＤＣソレノイドからなり、作動部材であるプランジャ４２ａを介してピン４３でロック板４０の他端部に緩く連結・係止されている。ソレノイド４２は、製版フレーム４５に固定されている。製版フレーム４５には、ロック板４０の係合孔４０ａの内径と同じ大きさの孔４５ａと、２つの図示しないねじ孔と、プランジャ４２ａ連結部のピン４３の移動を上下方向Ｚに逃がすための図示しない長孔とが形成されている。ロック板４０には、上記摺動範囲に対応した移動を許容する上下に長い長孔４０ｂが２つ形成されている。ロック板４０は、２つの長孔４０ｂを挿通して製版フレーム４５に形成された２つの図示しないねじ孔に螺合する２本の段付きねじ４４で組み付けられることにより、少なくとも上記摺動範囲においてマスタ搬送方向Ｙと直交する上下方向Ｚに摺動自在になされている。
【００５０】
プロッタユニット２５が製版ロック位置を占めたとき、上記したロック板４０および引張りばね４１により、プロッタユニット２５はマスタ搬送方向Ｙに位置決めされる。プロッタユニット２５の上下方向Ｚおよびマスタ搬送方向Ｙと直交するマスタ幅方向の位置決めは、レール内３４とレール外３５との嵌合によりなされる。
製版書込み部４におけるサーマルヘッド２８、上記ステッピングモータ、上記電磁クラッチおよびソレノイド４２等の制御対象駆動手段を、図１２において総括的に製版駆動部４７で表す。
【００５１】
なお、プロッタロック機構３８は、これに限らず、上記特開平１０−２０２９９６号公報の図４に示され、段落「００５７」ないし「００５９」に記載されている第２の移動規制手段（１０９）を利用してもよい。
【００５２】
印刷部５は、図１および図４に示すように、印刷ドラム５１上の製版済みのマスタ２６ｃに印刷ドラム５１の内周側からインキを供給しながら給紙部７から給送されてくる用紙Ｓを押し付けて印刷画像を形成する周知の機能・構成を有する。印刷部５は、製版書込み部４で製版された製版済みのマスタ２６ｃを外周面に巻装する、図１において矢印方向（時計回り）に回転可能な印刷ドラム５１および後述するように印刷ドラム５１の内周側からインキを供給するインキ供給手段等を備え本体フレーム２に対して着脱自在に構成されたドラムユニット５０と、ドラムユニット５０を着脱自在に支持するドラムユニット着脱手段（図示せず）と、本体フレーム２内において印刷ドラム５１に接離自在に配設された押圧手段としてのプレスローラ５８と、後述する機密保持モード設定手段により機密保持モードが設定されたとき、ドラムユニット５０の本体フレーム２からの離脱を阻止するためのドラムロック手段としてのドラムロック機構５９とから主に構成されている。
【００５３】
印刷ドラム５１は、外周部に設けられた周知の構成の版胴と、この版胴を両端で支持する端板５１ａ，５１ｂと、版胴外周面の一母線に沿って版胴軸線方向に延在したステージ５３と、ステージ５３に沿って版胴軸線方向に延在し製版済みのマスタ２６ｃの先端部をステージ５３との間に挟持する開閉可能なクランパ５２と、印刷ドラム５１の版胴内周面にインキを均一かつ薄膜状に供給するインキローラ５５と、インキローラ５５と微小間隙を置いて平行に配置され、インキローラ５５との間に断面楔形状のインキ溜まり５７を形成しインキ量を計量するドクターローラ５６と、インキ溜まり５７へインキを供給するインキ供給孔５４ａを備えたインキ供給管５４とも呼ばれる支軸５４とを有する。ここで、インキローラ５５、ドクターローラ５６および支軸５４がインキ供給手段を構成する。
【００５４】
版胴は、図４に二点鎖線で示す一対の端板５１ａ，５１ｂ外周面上にねじ等の締結手段で取り付けられている。版胴は、ステンレス薄板をエッチング加工したもの、あるいはニッケル電鋳された薄板により円筒状に形成されていて、インキ通過性の孔をその外周面上に多数穿設された印刷可能領域と、ステージ５３を固着された非印刷可能領域とを有する。さらに、版胴の外周面上には、金属または樹脂製の図示しないメッシュスクリーンが複数層巻き付けられている。プレスローラ５８は、インキローラ５５に対向する印刷ドラム５１の版胴外周面の近傍に配設され、図示しない接離手段によって上下に揺動されて用紙Ｓを印刷ドラム５１上の製版済みのマスタ２６ｃへ押し付けながら印刷ドラム５１に従動回転する周知の機能・構成を有する。押圧手段としては、プレスローラ５８に限らず、印刷ドラム５１の版胴外周面の外径と同径の、用紙Ｓの先端部を挟持する用紙クランパを備えた圧胴も用いられる。
【００５５】
ドラムユニット着脱手段およびこれに着脱されるドラムユニット５０側の被着脱手段の具体例としては、例えば特開平５−２２９２４３号公報記載の図２および図３に示されている保持手段（３６）および版胴装置（５５）と同様のものを用いている。この他、例えば特開２００３−１９１８号公報の図７に示されている着脱手段（５９ａ）およびドラムユニット（１００ａ）の被着脱手段と同様のものや、例えば特開平１０−２９７０７４号公報の図５に示された着脱手段（６３ａ，６３ｂ）を用いてもよい。
【００５６】
ドラムユニット５０は、ドラムユニット着脱手段によって、本体フレーム２内に挿入・装着され後述する印刷ドラム５１の駆動機構に連結・セットされて印刷可能となるドラムロック位置と、本体フレーム２内から離脱されて、マスタや用紙のジャム処理、色替え、インキの補給、あるいは清掃・保守点検整備等が可能となる非ドラムロック位置との間で移動可能かつ挿脱可能になされている。非ドラムロック位置には、本体フレーム２内から完全に離脱された状態が含まれる。この状態を含め、印刷ドラム５１の版胴外周面に巻装された製版済みのマスタ２６ｃや使用済みのマスタ２６ｄの製版画像の機密情報を見たり、用紙に転写したりする機密情報の収集が可能となる。
【００５７】
図４および図５に、ドラムロック機構５９を含む印刷ドラム５１の駆動機構を示す。印刷ドラム５１の一方の端板５１ａの外方には、支軸５４を中心としたドラムギヤ６０が、支軸５４と僅かに隙間をもって端板５１ａの図示しない段部に固着されている。ドラムユニット５０が本体フレーム２内に装着・セットされたとき、支軸５４の図４における奥側の先端部は、ドラムギヤ６０を貫通して、本体フレーム２に固着された筐体側板（図示せず）に設けられた図示しない軸受部に着脱自在に支持される。端板５１ａにおける版胴外周縁寄りの部位には、支軸５４方向に延出する遮光板６８が固着されている。また、図４の奥側の端板５１ａと手前側の端板５１ｂの外方には、印刷ドラム５１を持ち運ぶための略コ字状をなす図示しない取っ手が、印刷ドラム５１を軸方向に跨ぐように支軸５４に取り付けられている。手前側の端板５１ｂ側の図示しない前フレームには、支軸５４へ供給するインキを補充するための図示しないインキ供給ポンプやインキ容器載置台等が設けられている。
【００５８】
ドラムギヤ６０の近傍には、ドラムギヤ６０と噛み合うギヤ部６１ａ、フランジ部６１ｂおよび切欠部６１ｃとを一体的に形成され、上記筐体側板に回転自在に支持された駆動軸６１ｄに固着された駆動ギヤ６１が配設されている。駆動ギヤ６１は、フランジ部６１ｂが端板５１ａ側に位置するように配置され、フランジ部６１ｂの一部が切り欠かれて切欠部６１ｃが形成されている。ドラムギヤ６０を有するドラムユニット５０は、図４および図５（ａ）に示すように、駆動ギヤ６１の切欠部６１ｃが図５（ａ）において右横となる駆動ギヤ６１のホームポジション状態でのみ、切欠部６１ｃのギヤ部６１ａと噛み合っている駆動ギヤ６１が係脱自在となっている。一方、図５（ｂ）に示すように駆動ギヤ６１の回転・位相位置が例えば切欠部６１ｃが略真上に位置する状態では、フランジ部６１ｂのギヤ部６１ａと噛み合ったドラムギヤ６０がフランジ部６１ｂに阻まれて、噛合・係合状態を解除できないように構成されている。印刷ドラム５１は、上記ドラムユニット着脱手段を介して、図４および図５（ａ）に示したように駆動ギヤ６１の切欠部６１ｃが略右横となる駆動ギヤ６１の回転・位相位置状態（ホームポジション）でのみ、図４の白抜き矢印で示すドラムユニット抜き出し方向Ｘに抜き出すことにより、本体フレーム２からの取り外しが可能となっている。
【００５９】
印刷ドラム５１の回転に伴って移動する遮光板６８の円軌道上には、ホームポジションセンサ６９と機密モード位置センサ７０とが配設されている。各センサ６９，７０は、上記筐体側板に取り付けられており、遮光板６８がその検知部を通過する際に、後述する制御装置に信号を出力する。ホームポジションセンサ６９は、ホームポジションに回転された駆動ギヤ６１の切欠部６１ｃと、その回転を規制された印刷ドラム５１と実質的に一体のドラムギヤ６０とが噛み合う回転・位相位置において遮光板６８を検知するように配設されている。
【００６０】
駆動軸６１ｄを回転自在に支持している上記筐体側板から外方に突出した駆動軸６１ｄ端部には、歯付プーリ６２が固着されている。一方、上記筐体側板に固着された図示しない不動部材には、印刷ドラム５１を回転駆動する駆動手段としての例えばＤＣモータからなる駆動モータ６５が取り付け固定されている。駆動モータ６５の出力軸一端部には、歯付プーリ６３が固着されている。歯付プーリ６２と歯付プーリ６３との間には、タイミングベルト６４が掛け渡されていて、駆動モータ６５とドラムギヤ６０とは駆動力伝達関係にある。駆動モータ６５の出力軸他端部には、エンコーダ６６が取付け・固定されている。さらに、エンコーダ６６の外周縁部には、これを挟む状態でエンコーダ６６の回転と協働して発生するパルスを検出・カウントする透過型光学センサからなるパルス検出センサ６７が上記筐体側板側に取付け・固定されている。駆動モータ６５の回転速度および回転角度・位置は、パルス検出センサ６７によって検出され、検出された角度信号は、図示しないパルスカウンタおよび比較器を通過した後、後述する制御装置に入力される。
【００６１】
上述の構成のとおり、ドラムロック機構５９は、フランジ部６１ｂを備えた駆動ギヤ６１と、駆動ギヤ６１の切欠部６１ｃの回転・位相位置を検出し切欠部６１ｃの回転・位相位置を例えば図５（ｂ）のようにロック位相位置に変える駆動力伝達手段（駆動軸６１ｄ、歯付プーリ６２、タイミングベルト６４、歯付プーリ６３）と、駆動モータ６５と、エンコーダ６６と、パルス検出センサ６７と、ホームポジションセンサ６９と、機密モード位置センサ７０とから構成されている。
【００６２】
上述の印刷ドラム５１の駆動機構により、駆動モータ６５の回転力が、その出力軸から、歯付プーリ６３、タイミングベルト６４、歯付プーリ６２、駆動軸６１ｄ、駆動ギヤ６１、ドラムギヤ６０へと順次伝達されて、印刷ドラム５１が支軸５４を中心に回転駆動される。印刷部５における駆動モータ６５等の制御対象駆動手段を、図１２において総括的に主駆動部７２で表す。主駆動部７２には、後述するように給紙部７および排紙部８の各制御対象駆動手段も含まれる。
【００６３】
ドラムユニット５０には、本体フレーム２内からある程度ないし完全に離脱された状態で、印刷ドラム５１のクランパ５２の位置が例えば図１において略右横に位置する給版位置でもあるホームポジションを占めたままの状態に保持するための、図示しない周知の回転ロック装置が付設されている。また、ドラムユニット５０は、図４に示す端板５１ｂの紙面の手前側に設けられている図示しない前フレームに取り付けられた取っ手（図示せず）の把持操作に連動してドラムユニット５０をドラムロック位置にロックする機械式のロック機構が設けられているものもある。
【００６４】
排版部６は、印刷ドラム５１の版胴外周面から使用済みのマスタ２６ｄを剥ぎ取り、これを収納する収納手段としての排版ボックス８３内に排出する機能・構成を有する。排版部６は、図１、図６および図７に示すように、印刷ドラム５１上の使用済みのマスタ２６ｄを剥離・搬送排出する排版手段としての上排版ローラ８０および下排版ローラ８１と、剥離・搬送排出された使用済みのマスタ２６ｄを収納する上記した排版ボックス８３およびこの排版ボックス８３内を図１における反時計回り方向に回転し使用済みのマスタ２６ｄを圧縮してその収納量を増大させる圧縮板８４を備え本体フレーム２に対して着脱自在に構成された排版ユニット８２と、排版ユニット８２を着脱自在に支持・案内する排版ユニット着脱手段としてのレール部材８７と、後述する機密保持モード設定手段により機密保持モードが設定されたとき、排版ユニット８２の本体フレーム２からの離脱を阻止するための排版ロック手段としての排版ロック機構８９とから主に構成されている。排版ロック機構８９は、図１では破線で矩形状に囲んで模式的に示す。
【００６５】
上排版ローラ８０、下排版ローラ８１、排版ボックス８３および圧縮板８４は、特開平１０−２２６１４７号公報に開示された排版ローラ対（５）および排版装置（６）と同様の構成であり、また排版ボックス８３のさらに改良された細部構成は特開平１１−１９８５１２号公報と同様の構成であるので、ここでの説明は簡単に留める。
【００６６】
上排版ローラ８０は、本体フレーム２側に揺動自在に支持された図示しないブラケットに回転自在に支持されており、本体フレーム２側に配設された図示しない排版駆動手段（例えば排版モータ）によって回転駆動される。上排版ローラ８０を支持する上記ブラケットは、図示しない揺動手段により揺動される。この揺動手段により、上排版ローラ８０は、その外周面を印刷ドラム５１の外周面より離間させる図１に実線で示す待機位置と、その外周面を印刷ドラム５１の外周面に接触させる図１に二点鎖線で示す剥離位置とを選択的に占める。下排版ローラ８１は、本体フレーム２側に回転自在に支持されていて、図示しないばね等の付勢手段の付勢力によってその外周面を上排版ローラ８０の外周面に対して所定の圧接力で圧接されており、上排版ローラ８０の回転時に従動回転する。
【００６７】
排版ユニット８２は、上記した排版ボックス８３と、上記した圧縮板８４と、排版ボックス８３の図１において奥側外周壁に一体的に形成され後述するロック部材と選択的に係合する被ロック部材としての被ロック部８８とから主に構成されている。
【００６８】
排版ボックス８３は、印刷ドラム５１の軸線方向に延在して筒状をなしており、装置正面側から見てその右上部であって各排版ローラ８０，８１のニップ部と対応する位置には、その内部に使用済みのマスタ２６ｄを受け入れるための搬入口８３ａが形成されている。排版ボックス８３内に排出される使用済みのマスタ２６ｄを収納する空間であるマスタ収納部８３ｂを構成している内周壁８３ｃは、圧縮板８４がその圧縮板軸８４ａと一体となって２７０度回動するときにその先端部が移動する軌跡に沿った形状にその一部が形成されており、内周壁８３ｃの他の外周部分は箱状となるように形成されている。排版ボックス８３の奥側側面には、マスタ収納部８３ｂに貯容された使用済みのマスタ２６ｄを廃棄する際に開閉される蓋（図示せず）が配設されている。排版ボックス８３の内部の紙面手前側には、マスタ収納部８３ｂに圧縮されて収容された排版済みのマスタ２６ｅを上記奥側の蓋に向けて押し出す図示しない押出し板が配設されている。
【００６９】
排版ユニット８２は、排版ボックス８３の下壁面が、図１に示すように、本体フレーム２側に固着され断面略コ字状に形成されたレール部材８０に摺動自在かつ挿脱自在（着脱自在）に支持され、図１の紙面手前方向に、すなわち図６における排版ユニット８２の抜き出し方向Ｘに引き出し可能に構成されている。圧縮板軸８４ａの紙面奥側の端部は、本体フレーム２側に配設された圧縮板駆動手段（圧縮板駆動モータ）およびウォームギヤを含むギヤ列からなる駆動力伝達手段を備えた圧縮板駆動機構（詳しくは特開２００３−２１１８１３号公報参照）と図示しないカップリングを介して係脱自在に構成されている。排版ボックス８３の手前側には、排版ボックス８３を着脱する際に把持される取っ手８６が一体的に設けられている。
【００７０】
排版ボックス８３の下壁面は、レール部材８７に支持・案内される被支持部材である。レール部材８７は、排版ユニット着脱手段であると共に、さらに詳しくは排版ユニット８２を挿脱自在にする排版ユニット挿脱手段とも呼べる。排版ユニット８２は、上記排版ユニット着脱手段（排版ユニット挿脱手段）により、図１において実線で示すように本体フレーム２内に挿入されて排版可能となる排版ロック位置と、図１における手前側に抜き出されて排版済みのマスタ２６ｅの廃棄処理等が可能となる非排版ロック位置との間で排版ユニット抜き出し方向Ｘおよびこれと反対方向に摺動可能かつ挿脱可能（着脱可能）となっている。
【００７１】
非排版ロック位置には、図７に二点鎖線で示し後述するようにロックレバー９０が開口部９５ａとの嵌入・係合状態が解除されて排版ユニット抜き出し方向Ｘに移動可能になった位置を含む他、排版ユニット８２の下壁面がレール部材８７から完全に抜き出された状態が含まれる。この状態では、排版済みのマスタ２６ｅの廃棄処理等を行えると共に、排版済みのマスタ２６ｅの機密情報の収集が可能となる他、印刷ドラム５１の版胴外周面に巻装された製版済みのマスタ２６ｃや使用済みのマスタ２６ｄの製版画像の機密情報を見たり、用紙に転写したりする機密情報の収集が可能となる。
【００７２】
排版ロック機構８９は、図７に詳しく示すように、排版ユニット８２が本体フレーム２内に装着されているとき、その一端部（図において上端部）が排版ユニット８２を排版ロック位置に固定すべく被ロック部８８の被ロック当接面８８ａと係合する図７に実線で示す位置と排版ユニット８２の本体フレーム２からの離脱を許すべく被ロック部８８の被ロック当接面８８ａとの係合を解除する図７に二点鎖線で示す位置との間で支点軸９３を中心として揺動・変位自在な当接部９０ａを備えた排版ロック部材としてのロックレバー９０と、その一端部がロックレバー９０の他端部（図において上端部）に係止されロックレバー９０の当接部９０ａを常に被ロック部８８の被ロック当接面８８ａと係合する向きに付勢する付勢手段としての引張ばね９１と、ロックレバー９０の他端部にピン９４を介して緩く係止されロックレバー９０の当接部９０ａを被ロック部８８の被ロック当接面８８ａとの係合を解除する位置に引張ばね９１の付勢力に抗して引張り・移動させることが可能な排版ロック部材解除駆動手段としてのソレノイド９２とから主に構成されている。
【００７３】
ロックレバー９０は、例えば鋼板でできていて、ロックレバー９０の一端部である当接部９０ａは、図において紙面の奥側に延びるように折り曲げ成形されている。引張ばね９１の他端部は、本体フレーム２側に植設されたピン４６に係止されている。排版部６における本体フレーム２側には、ロックレバー９０の当接部９０ａおよび傾斜部９０ｂの出入りを可能とする開口部９５ａを形成され、本体フレーム２に固着された排版フレーム９５が配置されている。ソレノイド９２は、プル型のＤＣソレノイドからなり、作動部材であるプランジャ９２ａを介してピン９４でロックレバー９０の他端部に緩く連結・係止されている。ソレノイド９２は、排版フレーム９５側に固定されている。支点軸９３は、排版フレーム９５側に植設されている。被ロック部８８の被ロック当接面８８ａおよびロックレバー９２の一端部は、排版ユニット８２が本体フレーム２内に装着・セットされて排版ロック位置を占めたときに互いに係合可能となるそれぞれの位置に設けられている。
排版部６における上記排版駆動手段、上記圧縮板駆動モータおよびソレノイド９２等の制御対象駆動手段を、図１２において総括的に排版駆動部９７で表す。
【００７４】
ここで、排版ユニット８２および排版ロック機構８９の動作を説明しておく。図７において、排版ユニット８２が排版ロック位置を占めていて、ソレノイド９２への通電が断たれてオフ状態のときは、同図に実線で示すように、ロックレバー９０の一端部が引張ばね９１の付勢力によって支点軸９３を中心として反時計回りに揺動し、この揺動に伴ってロックレバー９０の一端部が排版フレーム９５の開口部９５ａから下方に嵌入し、ロックレバー９０の当接部９０ａが被ロック部８８の被ロック当接面８８ａと当接・係合することにより、排版ユニット８２が排版ロック位置にロック・固定保持されるため、同図において右側の矢印Ｘ方向に抜き出し本体フレーム２から離脱することができない。
【００７５】
一方、排版ユニット８２が排版ロック位置を占めている状態で、ソレノイド９２へ通電されてオン状態になると、同図に二点鎖線で示すように、プランジャ９２ａが引張ばね９１の付勢力に抗して吸引・引き込まれて、ロックレバー９０の当接部９０ａが支点軸９３を中心として被ロック部８８の被ロック当接面８８ａとの当接・係合を解除すると共に、排版フレーム９５の開口部９５ａから上方に変位・離間することで、排版ユニット８２が同図において右側の矢印Ｘ方向（排版ユニット抜き出し方向Ｘ）に摺動可能となり、排版ユニット８２を本体フレーム２から離脱することができる。
【００７６】
給紙部７は、給紙台９９上に積載されたシート状記録媒体の一例としての用紙Ｓを印刷部５に送出する周知の機能・構成を有する。給紙部７は、上記した給紙台９９と、用紙Ｓを送り出す給紙手段を構成する給紙コロ１００と、用紙Ｓを１枚ずつ分離する一対の分離コロ１０１ａ，１０１ｂと、印刷ドラム５１とプレスローラ５８との間に所定のタイミングを取って用紙Ｓを送り出すレジスト手段としてのレジストローラ対１０２ａ，１０２ｂとから主に構成されている。分離コロ１０１ｂは、給紙手段を構成する分離コロ１０１ａとの協働作用により用紙Ｓを１枚に分離する分離手段としての周知の機能を有する。
【００７７】
給紙コロ１００と分離コロ１０１ａとは、図示しない歯付プーリおよびタイミングベルトを介して例えばステッピングモータからなる給紙モータ（図示せず）に連結されていて、上記給紙モータによって図において時計回りに回転駆動される。下側のレジストローラ１０２ｂは、図示しない歯付プーリおよびタイミングベルトを介して例えばステッピングモータからなるレジストモータ（図示せず）に連結されていて、上記レジストモータによって図において反時計回りに回転駆動される。
【００７８】
排紙部８は、印刷部５で印刷された印刷済みの用紙Ｓを排紙台１１０に排出する周知の機能・構成を有する。排紙部８は、印刷部５にて印刷された印刷済みの用紙Ｓを順次積載する上記した排紙台１１０と、印刷ドラム５１の近傍に配置され印刷済みの用紙Ｓを印刷ドラム５１から剥離する剥離爪１０５と、剥離爪１０５によって剥離された印刷済みの用紙Ｓを排紙台１１０上へ搬送するための吸着排紙前ローラ１０６および吸着排紙後ローラ１０７間に掛け渡された空気吸引用の孔が開けられた無端の搬送ベルト１０８と、搬送ベルト１０８の下方に配置され印刷済みの用紙Ｓを搬送ベルト１０８に吸着するモータを内蔵した吸着用ファン１０９とを有する。
【００７９】
吸着排紙後ローラ１０７および搬送ベルト１０８は、図示しないプーリおよび無端ベルトを介して例えばＤＣモータからなるベルト駆動モータ（図示せず）に連結されていて、上記ベルト駆動モータによって図において反時計回りに回転駆動される。
給紙部に７おける上記給紙モータ、上記レジストモータ、排紙部８における上記ベルト駆動モータ、吸着用ファン１０９および上述した印刷部５における駆動モータ６５等の制御対象駆動手段を、図１２において総括的に主駆動部７２で表す。
【００８０】
図８に示すように、原稿読取部３の下部に位置する本体フレーム２の前面には、それぞれ二点鎖線で模式的に示すドラムユニット５および排版ユニット８２を着脱する図示しない着脱口を形成された筐体前フレーム１２０が固着されている。筐体前フレーム１２０の前面には、ドラムユニット５および排版ユニット８２を覆うべく筐体前フレーム１２０に開閉自在に設けられた開閉手段（開閉部材）としての前ドアカバー１１１が設けられている。前ドアカバー１１１は、例えば適宜の板金等がインサートされた合成樹脂等で一体的に形成されている。前ドアカバー１１１は、図において筐体前フレーム１２０の右側部に設けられた図示しないヒンジを介して、筐体前フレーム１２０に開閉自在となっている。上記ヒンジ取付部と反対側の図において左側の前ドアカバー１１１の略中央部には、段付き溝１１３ａを形成された被ロック部材としてのロックピン１１３が取付け・固定されている。ロックピン１１３に対向する筐体前フレーム１２０には、ロックピン１１３を緩く出入りさせる孔１２０ａが開けられている。前ドアカバー１１１における右側端部には、従来例と同様の、前ドアカバー１１１の開閉状態を検知する開閉部材検知手段としての図示しないドアセンサ（例えばリミットスイッチ等）が設けられている。
【００８１】
上記ドアセンサは、印刷ドラム５１を始めとするその周囲の駆動部が回転駆動中にあるときにユーザに直接的に上記駆動部等に触れることを防止するために、開閉状態に係る信号を図示しない制御装置に送信することで、上記駆動部が駆動中にユーザが前ドアカバー１１１を開けた場合に上記駆動部を停止させる信号を生成するためのものである。
【００８２】
前ドアカバー１１１は、図８に破線で囲んで模式的に示すドアロック機構１１４を介して、筐体前フレーム１２０に対して開放されドラムユニット５および排版ユニット８２を露出させこれらの着脱を可能とする開放位置と、ドラムユニット５および排版ユニット８２を覆うと共にこれらの離脱を阻止する筐体前フレーム１２０側に固定されたロック位置との間で開閉自在になっている。
【００８３】
開放位置の状態には、ドラムユニット５を本体フレーム２側に装着・セットされた状態で、あるいはドラムユニット５をドラムロック位置から抜き出される途中状態を含めて印刷ドラム５１の版胴外周面に巻装された製版済みのマスタ２６ｃや使用済みのマスタ２６ｄの製版画像の機密情報を見たり、用紙に転写したり、あるいは排版ボックス８３内の排版済みのマスタ２６ｅを取り出したりする機密情報の収集が可能となる位置状態も含まれる。
【００８４】
ドアロック機構１１４は、後述する機密保持モード設定手段により機密保持モードが設定されたとき、前ドアカバー１１１の開放を阻止するための開閉ロックロック手段としての機能・構成を有する。ドアロック機構１１４は、図９および図１０に詳しく示すように、前ドアカバー１１１が筐体前フレーム１２０に対して閉じられているとき、その一端部が前ドアカバー１１１をロック位置に固定すべくロックピン１１３の段付き溝１１３ａと係合する位置（図１０（ａ）参照）と前ドアカバー１１１の筐体前フレーム１２０からの開放を許すべくロックピン１１３の段付き溝１１３ａとの係合を解除する位置（図１０（ｂ）参照）との間で摺動自在な開閉ロック部材としてのロック板１１５と、その一端部がロック板１１５の一端部（上端部）に係止されロック板１１５の係合孔１１５ａを常にロックピン１１３の段付き溝１１３ａと係合する向きに付勢する付勢手段としての引張ばね１１６と、ロック板１１５の他端部（下端部）にピン１１８を介して緩く係止されロック板１１５の係合孔１１５ａをロックピン１１３の段付き溝１１３ａとの係合を解除する位置に引張ばね１１６の付勢力に抗して引張り・移動させることが可能な開閉ロック部材解除駆動手段としてのソレノイド１１７とから主に構成されている。
【００８５】
ロックピン１１３の先端部は、前ドアカバー１１１の閉時における図９（ｂ）に示す矢印方向に移動時に、引張ばね１１６の付勢力に抗してロック板１１５の係合孔１１５ａに弾撥的に嵌入しやすくするためにテーパ付きの先細り状に形成されている。引張ばね１１６の他端部は、筐体前フレーム１２０の内壁面に植設されたピン１２１に係止されている。ソレノイド１１７は、プル型のＤＣソレノイドからなり、作動部材であるプランジャ１１７ａを介してピン１１８でロック板１１５の他端部に緩く連結・係止されている。ソレノイド１１７は、筐体前フレーム１２０の内壁面に固定されている。筐体前フレーム１２０の孔１２０ａは、ロック板１１５の係合孔１１５ａの内径と同じ大きさに形成されていて、筐体前フレーム１２０には、２つの図示しないねじ孔と、プランジャ１１７ａ連結部のピン１１８の移動を上下方向Ｚに逃がすための図示しない長孔とが形成されている。ロック板１１５には、上記摺動範囲に対応した移動を許容する上下に長い長孔１１５ｂが２つ形成されている。ロック板１１５は、２つの長孔１１５ｂを挿通して前フレーム１２２に形成された２つの図示しないねじ孔に螺合する２つの段付きねじ１１９で組み付けられることにより、少なくとも上記摺動範囲において上下方向Ｚに摺動自在になされている。
【００８６】
図１１を参照して、孔版印刷装置１を操作するための操作パネル１２５を説明する。同図において、操作パネル１２５は、図１に示されている原稿読取部３上部の紙面手前側に配置されており、製版スタートキー１２６、印刷スタートキー１２７、試し刷りキー１２８、クリア／ストップキー１２９、テンキー１３０、エンターキー１３１、モードクリアキー１３２、プログラムキー１３３、印刷速度設定キー１３４、４方向キー１３７、７セグメントＬＥＤ（発光ダイオード）からなる表示装置１３５、ＬＣＤ（液晶表示装置）からなる表示装置１３６等の周知の構成の他、機密保持モード状態を点灯・表示するＬＥＤを内蔵した機密保持キー１３８とを有している。
【００８７】
製版スタートキー１２６は、孔版印刷装置１に製版動作を行わせる際に押下され、製版スタートキー１２６が押下されると排版動作および原稿読取動作が行われた後に製版動作が行われ、その後、版付け動作が行われて孔版印刷装置１は印刷待機状態となる。印刷スタートキー１７５は、孔版印刷装置１に印刷動作を行わせる際に押下され、孔版印刷装置１が印刷待機状態となり各種印刷条件が設定された後に印刷スタートキー１７５が押下されることにより印刷動作が行われる。試し刷りキー１７６は、孔版印刷装置１に試し刷りを行わせる際に押下され、各種条件が設定された後に試し刷りキー１７６が押下されることにより１枚だけ印刷が行われる。
【００８８】
クリア／ストップキー１２９は、孔版印刷装置１の動作を停止させる際あるいは置数のクリア時に押下され、テンキー１３０は、数値入力に用いられる。エンターキー１３１は、各種印刷条件等の設定時に数値等を設定する際に、プログラムキー１３３は、よく行う操作を登録したりそれを呼び出したりする際にそれぞれ押下される。モードクリアキー１３２は、各種のモードをクリアして初期状態に戻す際に押下される。
【００８９】
印刷速度設定キー１３４は印刷動作に先立って印刷速度を設定する際に押下され、濃いめの画像を得たい場合あるいは雰囲気温度が低い場合等には印刷速度を遅く、薄めの画像を得たい場合あるいは雰囲気温度が高い場合等には印刷速度を速く設定する。４方向キー１３７は、画像編集時にその画像位置を調整する場合あるいは各種設定時に数値や項目等を選択する場合等に押下される。
【００９０】
機密保持キー１３８は、印刷を行う者以外に印刷ドラム５１上の製版済みのマスタ２６ｃや使用済みのマスタ２６ｄの情報および印刷物の情報を知られたくない場合に機密保持モードを設定する機密保持モード設定手段としての機能としての機能を有する。機密保持キー１３８を押下すると、内蔵されたＬＥＤが点灯して機密保持モード設定状態であることが表示される。なお、機密保持キー１３８は、これに限らず、機密保持モード設定手段としての機密保持キーの部分と、機密保持モードを表示・報知する表示・報知手段としての上記ＬＥＤの部分とを分離してもよい。
【００９１】
機密保持モード・設定状態を解除する機密保持モード解除手段としては、本実施形態では、テンキー１３０とエンターキー１３１との組み合わせ、すなわち機密情報を保持すべき者達だけ、あるいは機密情報を保持すべき単独の者が第三者に知られないように設定できるいわゆるサービスマン・プログラムで予め設定しておく例が挙げられる。具体的には、例えばテンキー１３０で暗証コードとして「６，７，８，９」をこの順に押下した後、エンターキー１３１を押下することで「６，７，８，９」を確定・入力する例が挙げられる。
【００９２】
このように、機密保持モード解除手段は、従来と同様の既存の操作パネル１２５を構成している操作構成要素としてのテンキー１３０の１０種類のキーおよびエンターキー１３１との、少なくとも２つの組み合わせからなるものである。本発明における機密保持モード解除手段は、例えば特開平８−１８３２３８号公報の図５のフローチャートに示されている機密保持キー（８３）の押下後に押下されることで機密モードを解除して排版・製版を実行するための製版スタートキー（７０）とは異なり、製版・給版終了後に印刷ドラム５１上に巻装されている機密情報を有する製版済みのマスタ２６ｃを用いて追加印刷が可能に構成された、いわば製版終了後機密モードを解除するためのものである。
【００９３】
また、第三者に対して機密保持モード設定状態や機密保持モード解除状態であることを知られたくない場合には、機密保持キー１３８を２回押下した後、テンキー１３０等で第三者が知らない上記例のような暗証コードを入力することで、上記ＬＥＤを消灯させて機密保持モード解除状態とするような機密保持モード解除手段であっても構わない。これに加えて後述するように、表示装置１３６の階層表示構造を利用してタッチパネル方式等でさらに複雑に設定するようなことも勿論可能である。
【００９４】
表示装置１３６は、階層表示構造となっており、その下方に設けられた選択設定キー１３６ａ，１３６ｂ，１３６ｃ，１３６ｄを押下することにより、変倍や画像位置調整等の様々なモードへの変更および各モードでの設定が可能に構成されている。また表示装置１３６には、図示したように「製版・プリントできます」のような孔版印刷装置１の状態が表示される他、製版あるいは排版ジャム、給紙あるいは排紙ジャム等のアラーム、用紙、マスタ、インキ等のサプライの供給指示等も表示される。操作パネル１２５で生成された各種出力信号は、図１および図１２に示す制御装置１４０に向けて出力され、制御装置１４０からは各表示装置１３５、１３６への表示指令が送られる。
【００９５】
図１２は、制御装置１４０周りの制御構成を示している。同図において、制御装置１４０は、ＣＰＵ（中央演算処理装置）１４１、記憶手段としてのＲＡＭ（読み書き可能な記憶装置）１４２、ＲＯＭ（読み出し専用記憶装置）１４３、図示しないタイマおよび図示しない入出力ポートを備えたマイクロコンピュータを具備している。
【００９６】
ＣＰＵ１４１には、原稿読取部３の画像センサ２１で読み取られ、図示しない原稿画像読取回路および画像信号処理部で処理された画像データ信号と、パルス検出センサ６７で検出され、パルスカウンタおよび比較器７１を通過した駆動モータ６５の角度信号（印刷ドラム５１の回転位置・角度信号でもある）と、操作パネル１２５の上記各種キーからの出力信号と、ホームポジションセンサ６９からの出力信号と、機密モード位置センサ７０からの出力信号とが入力される。入力された各信号は、ＲＯＭ１４３に記憶された動作プログラムおよび関係データに基づいてＣＰＵ１４１によって演算処理されて、図示しない各種モータ駆動回路を介して主駆動部７２の上記各制御対象駆動手段に、図示しない各種モータ駆動回路およびソレノイド駆動回路を介して製版駆動部４７の上記各制御対象駆動手段に、図示しない各種モータ駆動回路およびソレノイド駆動回路を介して排版駆動部９７の上記各制御対象駆動手段に、図示しないソレノイド駆動回路を介してドアロック機構１１４のソレノイド１１７に、ＣＰＵ１４１からそれぞれ動作・指令信号として出力される。
【００９７】
ＲＡＭ１４２には、ＣＰＵ１４１によってＲＯＭ１４３より呼び出された動作プログラムが一時的に書き込まれる。書き込まれた動作プログラムは、操作パネル１２５からの入力によって書き換えられる。また、ＲＡＭ１４２には、ユーザによって機密保持キー１３８が押されたときにのみ、機密保持モードプログラムが書き込まれる。ＲＡＭ１４２は、バックアップメモリを有しており、書き込まれた機密保持モードプログラムのみは孔版印刷装置１の図示しない電源スイッチがオフされメイン電源が切られても消去されないように構成されている。ＲＡＭ１４２に書き込まれた機密保持モードプログラムは、上記機密保持解除手段によって消去され、機密保持モード解除状態となる。
【００９８】
ＲＯＭ１４３には、孔版印刷装置１の各制御対象駆動手段を作動させる複数の動作プログラムが記憶されている。各動作プログラムのうち、ユーザによって機密保持キー１３８が押された機密保持モード時においては、印刷スタートキー１２７と試し刷りキー１２８とからの入力を無効とする機密保持モードプログラムが記憶されている。機密保持モード解除手段としてテンキー１３０とエンターキー１３１との組み合わせによるサービスマン・プログラムを採用する場合には、ＲＯＭ１４３としてはＰＲＯＭ（プログラム可能な読み出し専用記憶装置）や、紫外線等で消去が可能なＥＰＲＯＭ、あるいは電気的に消去可能なＥＥＰＲＯＭを使用したり、これらを適宜併用してもよい。
【００９９】
ＣＰＵ１４１（以下、説明の簡明化のため「制御装置１４０」というときがある）は、機密保持キー１３８からの信号に基づいて、少なくとも一つのユニット（本実施形態では、プロッタユニット２５、ドラムユニット５０、排版ユニット８２）の本体フレーム２からの離脱を阻止するように少なくとも一つのユニットごとに配設されたロック手段（本実施形態では、プロッタユニット２５におけるプロッタロック機構３８のソレノイド４２、ドラムユニット５０におけるドラムロック機構５９の駆動モータ６５、排版ユニット８２における排版ロック機構８９のソレノイド９２）を制御する第１の制御手段としての制御機能を有する。また、本実施形態では、ソレノイド９２を備えた排版ロック機構８９を有する排版ユニット８２を具備しているため、排版ロック機構８９のソレノイド９２を制御する第２の制御手段としての制御機能も有する。
【０１００】
ＣＰＵ１４１（制御装置１４０）は、機密保持モード解除手段としてのテンキー１３０およびエンターキー１３１からの信号に基づいて、印刷ドラム５１上の製版済みのマスタ２６ｃを用いて追加印刷を行うように主駆動部７２を制御する第３の制御手段としての制御機能を有する。
【０１０１】
ＣＰＵ１４１（制御装置１４０）は、機密保持キー１３８により機密保持モードが設定されたとき、前ドアカバー１１１の開放を阻止するようにドアロック機構１１４のソレノイド１１７を制御する第４の制御手段としての制御機能を有する。
【０１０２】
次に、孔版印刷装置１の動作（工程）について説明する。
最初に、機密保持キー１３８を押下しないで実行される孔版印刷装置１の通常動作、すなわち機密保持を必要としない場合の動作について説明する。ここで、プロッタユニット２５は図１に実線で示すように本体フレーム２内に装着・セットされた製版ロック位置を、ドラムユニット５０は図１に実線で示すように本体フレーム２内に装着・セットされたドラムロック位置を、排版ユニット８２は図１に実線で示すように本体フレーム２内に装着・セットされた排版ロック位置をそれぞれ占めているものとする。また、前ドアカバー１１１は、図８に示す筐体前フレーム１２０に対して閉じられ・ロックされているドアロック位置を占めているものとする。
【０１０３】
ユーザが原稿読取部３の原稿受け台１０上に原稿１１を載置した後、操作パネル１２５上の各種キーによって製版条件を設定した後に製版スタートキー１２６を押すと、スタート信号が生成されこれがトリガとなって、先ず、排版動作が行われる。この状態では、印刷ドラム５１の版胴外周面上に前回の印刷で使用されこの動作例では機密情報を有していない使用済みのマスタ２６ｄが巻装されたまま残っている。
【０１０４】
制御装置１４０からの指令信号（以下、単に「指令」というときがある）により、駆動モータ６５が起動（回転駆動開始）することによって、印刷ドラム５１が図１において時計回りに回転する。そして、使用済みのマスタ２６ｄの先端が上排版ローラ８０と対応する所定の排版位置に印刷ドラム５１が到達したと制御装置１４０が判断すると、印刷ドラム５１の回転が停止すると共に、制御装置１４０からの指令によって図示しない揺動手段および上記排版モータが作動し、上排版ローラ８０が回転すると共に上排版ローラ８０が二点鎖線で示すように剥離位置に移動して使用済みのマスタ２６ｄの先端部をすくい上げる。上排版ローラ８０が使用済みのマスタ２６ｄと当接すると印刷ドラム５１が再び時計回りに回転し、上排版ローラ８０によってすくい上げられた使用済みのマスタ２６ｄは上排版ローラ８０および下排版ローラ８１とで挟持されて印刷ドラム５１の外周面より剥離される。剥離された使用済みのマスタ２６ｄは上排版ローラ８０と下排版ローラ８１とで挟持された状態でＹ１方向へ搬送されて排版ボックス８３内に排出された後、圧縮板８４によって圧縮される。この圧縮時において、排版ボックス８３内にある程度以上の排版済みのマスタ２６ｅが収納されている場合、圧縮板８４は排版済みのマスタ２６ｅを所定時間（例えば２秒間）圧縮する。
【０１０５】
外周面上より使用済みのマスタ２６ｄが全て剥離された後も印刷ドラム５１はさらに回転を継続する。印刷ドラム５１が図１に示す給版位置であるホームポジションに到達してホームポジションセンサ６９により検知されると、このホームポジションセンサ６９から制御装置１４０に向けて信号が出力される。制御装置１４０はホームポジションセンサ６９からの信号に基づいて、駆動モータ６５に指令を送ってその作動を停止させる。印刷ドラム５１がホームポジションで停止すると、制御装置１４０より図示しない開閉手段へ指令が送られてクランパ５２が二点鎖線で示すようにステージ５３から開放され、印刷ドラム５１が図１に示す給版待機状態となって排版動作が完了する。
【０１０６】
上記排版動作と並行しながら原稿画像の読み取り動作が行われる。すなわち、図示しない原稿搬送モータが起動することにより、分離ローラ１４が回転することで、原稿受け台１０上の原稿１１が前原稿搬送ローラ対１３ａ，１３ｂ間へ送り出され、その後、原稿１１の先端部を挟持した前原稿搬送ローラ対１３ａ，１３ｂが回転することで、さらに原稿１１は後原稿搬送ローラ対１６ａ，１６ｂ間へ送り出され、次いで後原稿搬送ローラ対１６ａ，１６ｂの回転によって原稿１１が原稿排出台１５上に排出される。この時、コンタクトガラス１７上を搬送される原稿１１の表面は、蛍光灯１８により照明され、原稿１１の表面で反射した反射光がミラー１９で反射された後、レンズ２０を介して画像センサ２１に入射され、原稿１１の画像が読み取られる。このとき、原稿受け台１０上に複数枚の原稿１１が積載された場合には、分離ブレード１２により１枚ずつ分離され最下部の原稿１１から順次搬送されて画像の読み取りが行われる。
【０１０７】
画像センサ２１により光電変換された画像信号は本体フレーム２内の上記Ａ／Ｄ変換部に入力されてデジタル画像信号に変換され、さらに上記画像信号処理部で画像処理を施され、画像処理を施されたデジタル画像信号はＣＰＵ１４１に送られる。
一方、上述した原稿１１の画像読み取りと並行して、製版書込み部４では、上記画像信号処理部および図示しない製版制御部にて処理され制御装置１４０を経由して送出されるデジタル画像信号に基づき、製版および給版動作が行われる。すなわち、ＣＰＵ１４１からの指令により上記ステッピングモータが起動されることで、マスタロール２６ａからマスタ２６が引き出されつつ、サーマルヘッド２８にマスタ２６を介して押圧しているプラテンローラ２９の回転によってマスタ搬送方向Ｙの下流側に搬送される。このように搬送されるマスタ２６に対して、サーマルヘッド２８にライン状に並んだ複数の微小な発熱素子がデジタル画像信号に応じて各々選択的に発熱し、発熱した発熱素子に接触しているマスタ２６の熱可塑性樹脂フィルム部分が加熱溶融穿孔される。このように、画像情報に応じたマスタ２６の位置選択的な溶融穿孔により、画像情報が穿孔パターンとして書き込まれる。このように穿孔・製版された製版済みのマスタ２６ｃの先端部は、給版ローラ対３１ａ，３１ｂが回転することにより搬送され、ガイド板対３３により進行方向を下方に変えられ、図１に示す給版待機状態にある印刷ドラム５１の拡開したクランパ５２に向かって送り出される。
【０１０８】
次いで、上記ステッピングモータの所定ステップ数の回転駆動によって製版済みのマスタ２６ｃの先端がステージ５３とクランパ５２との間の所定の位置に届いたとＣＰＵ１４１によって判断されると、これに合わせた所定のタイミングでクランパ５２が閉じられることにより、製版済みのマスタ２６ｃの先端部がクランプされ、次いで印刷ドラム５１が同図中の矢印時計回りに回転することにより、製版済みのマスタ２６ｃは印刷ドラム５１の外周面に巻きつけられていく。上記ステッピングモータの所定ステップ数の回転駆動により、１版分の製版が完了したとＣＰＵ１４１によって判断されると、同ステッピングモータが停止することで、プラテンローラ２９および給版ローラ対３１ａ，３１ｂの回転が停止すると共に、図１におけるカッタ３０の上側の可動刃がマスタ搬送方向Ｙと直交するマスタ幅方向に回転しながら移動してマスタ２６が所定の長さに切断される。この切断された製版済みのマスタ２６ｃが製版書込み部４から完全に引き出され印刷ドラム５１の外周面に巻装された後、印刷ドラム５１が再びホームポジションに到達すると、ＣＰＵ１４１からの指令によって駆動モータ６５が停止して製版および給版動作が終了する。
【０１０９】
次いで、試し刷りとも呼ばれるいわゆる版付け・印刷動作が開始される。ＣＰＵ１４１からの指令により駆動モータ６５が起動されることによって、印刷ドラム５１が低速度で図１中矢印方向に回転されると共に、上記給紙モータが起動されることにより給紙部７の給紙コロ１００および分離コロ１０１ａが時計回りに回転駆動され、同時に排紙部８における吸着排紙前ローラ１０６，１０７の回転を介して搬送ベルト１０８および吸着用ファン１０９が回転駆動される。給紙コロ１００と分離コロ１０１ａとの時計回りの回転により、給紙台９９上に積載された最上の用紙Ｓが分離コロ対１０１ａ，１０１ｂの協働作用で１枚に分離されてレジストローラ対１０２ａ，１０２ｂに向けて矢印Ｙ４方向に送り出される。
【０１１０】
次いで、１枚に分離された用紙Ｓは、レジストローラ対１０２ａ，１０２ｂのニップ部に一時的に突き当て保持されて所定の撓みが形成された後、レジストローラ対１０２ａ，１０２ｂにより印刷ドラム５１の回転と同期した所定のタイミングで印刷ドラム５１とプレスローラ５８との間に用紙Ｓが給送される。レジストローラ対１０２ａ，１０２ｂにより送り出された用紙Ｓが図示しない用紙検知手段により検知されると、この信号に基づいてＣＰＵ１４１は、プレスローラ５８を印刷ドラム５１の版胴外周面から離間する位置に保持する図示しないソレノイドおよび引張ばね等を備えた係止手段の保持状態を解除することにより、印刷ドラム５１の外周面から離間していたプレスローラ５８が上方に移動して、同図中の矢印方向に回転する印刷ドラム５１の外周面に巻装された製版済みのマスタ２６ｃに用紙Ｓが押圧される。
【０１１１】
こうして、印刷ドラム５１の版胴の多孔部分および製版済みのマスタ２６ｃの穿孔パターン部分からインキが滲み出し、このインキが用紙Ｓの表面に転移されて印刷画像が形成され印刷される。この時、上記版胴の内周側では、インキ供給管（支軸）５４の複数のインキ供給孔５４ａからインキローラ５５とドクターローラ５６との間に形成されたインキ溜まり５７にインキが供給され、印刷ドラム５１の回転方向と同一方向に、かつ、印刷ドラム５１の回転速度と同期して回転しながら内周面に転接するインキローラ５５により、インキが印刷ドラム５１の版胴内周側に供給される。
【０１１２】
印刷部５において印刷画像が形成された用紙Ｓは、剥離爪１０５により印刷ドラム５１から剥がされ、吸着用ファン１０９に吸着されつつ、反時計回りに回り動く搬送ベルト１０８に沿って矢印Ｙ５方向に搬送され、排紙台１１０上に排出される。この一連の工程によって版付・印刷動作が完了し、孔版印刷装置１は印刷待機状態となる。
【０１１３】
上述した排版、原稿読み取り、製版、版付けの各動作が完了して、印刷待機状態となった孔版印刷装置１において、ユーザが試し刷りキー１２８を押すと版付動作と同様に、給紙台９９上の最上の用紙Ｓが給紙コロ１００と分離コロ対１０１ａ，１０１ｂとによって１枚に分離されて送り出されてレジストローラ対１０２ａ，１０２ｂのニップ部に一時的に突き当て保持された後、ＣＰＵ１４１からの指令により駆動モータ６５が起動することで、印刷ドラム５１が印刷速度設定キー１３４で設定された上記版付け時の低速度よりは速い適宜の速度で回転駆動される。レジストローラ対１０２ａ，１０２ｂは、印刷速度に応じた所定のタイミングで、高速回転している印刷ドラム５１とプレスローラ５８との間に用紙Ｓを給送する。給送された用紙Ｓは、プレスローラ５８によって印刷ドラム５１上の製版済みのマスタ２６ｃに押圧されてインキを転移され、その上面に印刷画像を形成された後、剥離爪１０５によって印刷ドラム５１の外周面より剥離され、搬送ベルト１０８によって左方へと搬送されて、排紙台１１０上に排出・積載される。印刷ドラム５１は再びホームポジションに戻り、試し刷り動作が完了する。
【０１１４】
この試し刷りによって印刷画像の濃度や位置を確認し、これらを操作パネル１２５上の各種キーで調整して再度試し刷りを行った後、テンキー１３０で印刷枚数を表示装置１３５に置数し、印刷速度設定キー１３４で印刷速度を設定し、所望する印刷物に合わせて変倍キー１３６ｃ等を適宜押して印刷スタートキー１２７を押すことにより、上記版付け、試し刷りと同様の工程で、給紙、印刷および排紙の各工程が置数・セットした印刷枚数分繰り返して行われ、孔版印刷の全工程が終了する。印刷動作完了後、印刷ドラム５１は再びホームポジションに戻る。
【０１１５】
次に、機密保持キー１３８を使用した場合の孔版印刷装置１の機密保持モードに係る動作を説明する。まず、機密保持モードを設定して追加印刷を行わない動作例、つまり印刷ドラム５１上に巻装されているマスタが機密を保持する必要のある使用済みのマスタ２６ｄである場合について述べる。
【０１１６】
ユーザは、上述と同様に、製版、適宜行われる版付けおよび試し刷り、印刷の各工程を経て印刷物を得る。この印刷物の内容が機密を要する場合、第三者に機密が漏れては困る機密を守るべきユーザ（以下、単に「ユーザ」という）は、当然のことながら、機密保持を要する印刷物を第三者に知られたり、見られたりしない状態で上述と同様に、上記した製版、版付け、試し刷り、印刷の各工程を実行している。機密を保持すべき印刷動作完了後に、印刷ドラム５１上に巻装されている使用済みのマスタ２６ｄは、当然のこととして機密情報を持っているから、ユーザは機密を保持すべき印刷動作完了後に機密保持キー１３８を押す。
【０１１７】
機密保持キー１３８が押されると、操作パネル１２５よりＣＰＵ１４１に機密保持モード設定に係る信号が送信される。ＣＰＵ１４１はＲＯＭ１４３より機密保持モードプログラムを呼び出し、ＲＡＭ１４２に機密保持モードプログラムを書き込むと共に、操作パネル１２５に指令信号を送り、機密保持キー１３８に内蔵された上記ＬＥＤを点灯させて機密保持モードであることを表示させる。ＲＡＭ１４２への機密保持モードプログラムの書き込み動作後、ＣＰＵ１４１は主駆動部７２における駆動モータ６５へ動作・指令信号を送り、ホームポジションで停止している印刷ドラム５１を、遮光板６８が機密モード位置センサ７０に検知されるまで所定の角度分（図４において距離Ｌ）だけ回動させて、例えば図５（ｂ）に示したようなドラムギヤ６０と駆動ギヤ６１との噛み合い状態にさせる。
【０１１８】
これにより、図５（ｂ）に示すように駆動ギヤ６１の回転・位相位置が切欠部６１ｃが略真上に位置する状態では、フランジ部６１ｂのギヤ部６１ａと噛み合ったドラムギヤ６０がフランジ部６１ｂに阻まれて、図５（ｂ）の紙面手前側、すなわち図４に示すドラムユニット抜き出し方向Ｘにドラムギヤ６０ごとドラムユニット５０を抜き出し・離脱することを禁止しているから、本体フレーム２より印刷ドラム５１を備えたドラムユニット５０を抜き出し・離脱することで、他の同種の孔版印刷装置によって印刷を行うことで機密が漏洩する事態や、印刷ドラム５１より使用済みのマスタ２６ｄを剥離させて、マスタそのものを解読することで機密が漏洩する事態、あるいは印刷ドラム５１に巻装されているままの使用済みのマスタ２６ｄの製版画像（通常は鏡像であるが両面印刷装置等では正像の場合もある）の機密情報そのものを見たり、用紙に転写したりする機密情報の収集も防止することができる。
【０１１９】
同時に、ＲＡＭ１４２への機密保持モードプログラムの書き込み動作後、ＣＰＵ１４１は、製版駆動部４７のソレノイド４２、排版駆動部９７のソレノイド９２へ各ソレノイド駆動回路を介してこれらを作動すべき指令信号を出力せずに、各ロック位置を保持するように各ソレノイド４２，９２を制御することで、各ソレノイド４２，９２を作動させないでオフ状態を保持する。これにより、プロッタユニット２５は図１において実線でおよび図３（ａ）に示すように製版ロック位置にロック・固定されることによって、本体フレーム２よりプロッタユニット２５を抜き出し・離脱することが不可能となる。また、排版ユニット８２は、その排版ロック機構８９のロックレバー９０が図７に実線で示すように排版ユニット８２をして排版ロック位置にロック・固定されるように保持されたままであるから、本体フレーム２より排版ユニット８２を抜き出し・離脱することが不可能となる。従って、印刷ドラム５１に巻装されているままの使用済みのマスタ２６ｄの製版画像（通常は鏡像であるが両面印刷装置等では正像の場合もある）の機密情報そのものを見たり、用紙に転写したりする機密情報の収集を防止することができる。
【０１２０】
これに加えて、同時に、ＲＡＭ１４２への機密保持モードプログラムの書き込み動作後、ＣＰＵ１４１は、ドアロック機構１１４のソレノイド１１７へソレノイド駆動回路を介して作動すべき指令信号を出力せずに、開閉ロック位置を保持するようにソレノイド１１７を制御することで、ソレノイド１１７を作動させないでオフ状態を保持する。これにより、前ドアカバー１１１は図１０（ａ）に示すようにドアロック位置にロック・固定されて保持されたままであるから、前ドアカバー１１１を筐体前フレーム１２０から開放することが不可能となる。従って、印刷ドラム５１に巻装されているままの使用済みのマスタ２６ｄの製版画像の機密情報そのものを見たり、ドラムユニット５０を構成する前フレームと印刷ドラム５１の版胴外周面との隙間から製版画像の機密情報を見たり、用紙に転写したりする機密情報の収集をより確実に防止することができる。
【０１２１】
以後、ユーザによって印刷スタートキー１２７または試し刷りキー１２８が押されると、操作パネル１２５よりＣＰＵ１４１に信号が送られるが、ＣＰＵ１４１はＲＡＭ１４２に機密モードプログラムが書き込まれていることを認識し、主駆動部７２における上記各制御対象駆動手段へ動作すべき指令信号を出力しないため、ＣＰＵ１４１の制御の下に孔版印刷装置１は印刷動作と試し刷り動作とを行わない。また、ＣＰＵ１４１は、印刷スタートキー１２７または試し刷りキー１２８が押され、操作パネル１２５からの信号が入力されると、操作パネル１２５に信号を送り、表示装置１３６に印刷不可のメッセージを表示させる。この機密保持モード状態は、上記した機密保持モード解除手段によって機密保持モードが解除されるまで継続される。ＲＡＭ１４２は、上述したようにバックアップメモリであることにより、孔版印刷装置１に電源を供給するための電源スイッチのオフ後においても、上記機密保持状態が保持されることは言うまでもない。
【０１２２】
次に、機密保持キー１３８を使用し機密保持モードを設定して追加印刷を行う動作例、つまり印刷ドラム５１上に巻装されているマスタが機密を保持することが必要な製版済みのマスタ２６ｃである場合について述べる。機密を保持すべき所定印刷枚数の印刷動作完了後に、追加印刷を行いたい場合がある。このようなとき、ユーザは機密保持モード・設定状態を解除するために、機密保持モード解除手段であるテンキー１３０とエンターキー１３１との組み合わせで、例えばテンキー１３０で暗証コードとして「６，７，８，９」をこの順に押下した後、エンターキー１３１を押下することで「６，７，８，９」を確定・設定すると、操作パネル１２５よりＣＰＵ１４１に機密保持モード解除に係る信号が送信される。これにより、ＣＰＵ１４１は、ＲＡＭ１４２に書き込まれた機密モードプログラムを消去すると共に、機密保持キー１３８に内蔵された上記ＬＥＤを消灯させて機密保持モード解除状態であることを表示させ、かつ、主駆動部７２に動作・指令信号を送ることで、孔版印刷装置１の印刷部５、給紙部７、排紙部８の上記各制御対象駆動手段を制御することにより、追加印刷動作が可能な状態となる。
【０１２３】
ユーザは上述したと同様に、テンキー１３０で印刷枚数を表示装置１３５に置数し、印刷速度設定キー１３４で印刷速度を設定し、所望する印刷物に合わせて適宜変倍キー１３６ｃ等を押して印刷スタートキー１２７を押すことにより、上記版付け、試し刷りと同様の工程で、給紙、印刷および排紙の各工程が置数・セットした追加印刷枚数分繰り返して行われ、孔版印刷の全工程が終了する。印刷動作完了後、印刷ドラム５１は再びホームポジションに戻る。機密を保持すべき追加印刷動作完了後に、印刷ドラム５１上に巻装されている使用済みのマスタ２６ｄは、当然のこととして機密情報を持っているから、ユーザは機密を保持すべき追加印刷動作完了後に再び機密保持キー１３８を押すこととなる。
【０１２４】
本実施形態では、プロッタロック機構３８はマスタロール２６ａの交換やマスタのジャム処理時等のために着脱される際のロック手段を、ドラムロック機構５９は用紙やマスタのジャム処理時、インキの補給あるいは色替え時等のために着脱される際のロック手段を、排版ロック機構８９は排版済みのマスタの廃棄や使用済みのマスタのジャム処理時等のために着脱される際のロック手段をそれぞれ兼ねていることにより、従来から配設されているロック手段をそのまま利用することができるので、構成の簡素を図ることができると共に、これに伴いコスト上昇も避けることができる。
【０１２５】
本実施形態では、上述した用途のロック手段をそれぞれ兼ねている他、各ユニット２５，５０，８２作動時の安全上の配慮（例えば回転駆動中の印刷ドラム５１を始めとした駆動部分からの隔絶のため）からも上記各ロック機構３８，５９，８９，１１４が配設されている。そのため、各ユニット２５，５０，８２ごとに本体フレーム２からの離脱を許容するための離脱設定手段としての各離脱キーを、また前ドアカバー１１１の筐体前フレーム１２０からの開放を許容するための開放設定手段としてのドア開放キーを、操作パネル１２５に配設することが望ましい。
【０１２６】
これにより、上記各離脱キーや上記ドア開放キーが押されるまで、ＣＰＵ１４１は、製版駆動部４７のソレノイド４２、排版駆動部９７のソレノイド９２、ドアロック機構１１４のソレノイド１１７へそれぞれ通電すべき指令信号を送信せずに制御を行うように構成できるから、例えば特開平８−１８３２３８号公報の図６および図７に示され段落「００５７」ないし「００５９」に記載されているように、機密モードプログラムが消去された際に版胴（７）のロック状態を解除するソレノイド（９３）への通電を再開するというような消費電力の無駄遣いを防止して省エネ化をも図ることが可能となる。つまり、ＣＰＵ１４１は、上記各離脱キーや上記ドア開放キーからの各ロック機構のロック状態を解除するための信号の入力があるまで、各ソレノイド４２、ソレノイド９２、ソレノイド１１７への通電をしないようにオフ制御すればよい。
【０１２７】
また、孔版印刷装置等の機種に拘わらず、完全に機密情報を保持するためには、機密保持モード設定状態にあっては、離脱設定手段としてのプロッタユニット離脱キー、排版ユニット離脱キーやドラムユニット離脱キーからの信号が、ＣＰＵ１４１に送信されたとしても、ＣＰＵ１４１はこれを無効化して機密保持モード設定状態を保持するように構成される。同様に、開放設定手段としてのドア開放キーからの信号が、ＣＰＵ１４１に送信されたとしても、ＣＰＵ１４１はこれを無効化して機密保持モード設定状態を保持するように構成されている。
【０１２８】
そして、機密保持モード解除状態にあっては、プロッタユニット離脱キー、排版ユニット離脱キーやドラムユニット離脱キーからの信号が、ＣＰＵ１４１に送信されたとき、ＣＰＵ１４１は、プロッタユニット離脱キーからの信号に基づいて製版駆動部４７のソレノイド４２をオン制御することにより図３（ｂ）に示すロック解除状態（以下、「アンロック状態」という）に、排版ユニット離脱キーからの信号に基づいて排版駆動部９７のソレノイド９２をオン制御することにより図７に二点鎖線で示すようにアンロック状態に、またドラムユニット離脱キーからの信号に基づいて主駆動部７２の駆動モータ６５をして図５（ａ）に示すようにアンロック状態にそれぞれすることで、上記した必要な処理・操作を行えるようになる。
【０１２９】
（第２の実施形態）
図１、図１３および図１４に、第２の実施形態に係る孔版印刷装置１Ａを示す。
孔版印刷装置１Ａは、図１、図１３および図１４に示すように、第１の実施形態の孔版印刷装置１と比較して、プロッタユニット２５を有する製版書込み部４に代えて、本体フレーム２側に着脱不能に設けられた製版書込み部４Ａを有する点、本体フレーム２側に開閉不能に設けられた原稿読取部３に代えて、本体フレーム２に対してスライド・開閉可能に配設された読取ユニットとしてのスキャナユニット２３等を備えた原稿読取部３Ａを有する点および制御装置１４０に代えた制御装置１４０Ａを有する点が主に相違する。製版書込み部４Ａ、原稿読取部３Ａ、制御装置１４０Ａは、図１では括弧を付して示すことにより、第１の実施形態のそれと区別するものとする。
【０１３０】
製版書込み部４Ａは、第１の実施形態の製版書込み部４と比較して、プロッタユニット２５を構成している連結部材３７ａ，３７ｂ、取っ手３７ｃ、一対のレール内３４、一対のレール外３５、プロッタロック機構３８等を除去して、プロッタユニット２５を構成しているマスタ支持部材２７、サーマルヘッド２８、プラテンローラ２９、カッタ３０、給版ローラ対３１ａ、３１ｂ、ガイド板３１、ガイド板対３３、製版側板対３６等をフレーム内に着脱不能に配設したことが主に相違する。
【０１３１】
原稿読取部３Ａは、第１の実施形態の原稿読取部３と比較して、上記したスキャナユニット２３を有する点、スキャナユニット２３を着脱自在に支持・案内する周知の読取ユニット着脱手段（図示せず）を有する点、上記した機密保持モード設定手段により機密保持モードが設定されたとき、スキャナユニット２３の本体フレーム２からの離脱を阻止するための読取ロック手段としてのスキャナロック機構１５１を有する点が主に相違する。スキャナロック機構１５１は、図１３（ａ）では破線で矩形状に囲んで模式的に示す。
【０１３２】
スキャナユニット２３は、図１に示したと同様の構成要素、すなわち原稿受け台１０、分離ブレード１２、前原稿ローラ対１３ａ，１３ｂ、分離ローラ１４、原稿排出台１５、後原稿搬送ローラ対１６ａ，１６ｂ、コンタクトガラス１７、蛍光灯１８、ミラー１９、レンズ２０、画像センサ２１等を備え、これらが筐体をなすスキャナユニットフレーム１５０に取付け・支持されている。図１３（ａ）に実線で示すスキャナユニットフレーム１５０の図において右側の底壁面には、後述する読取ロック部材と係合する被ロック孔１５０ａが開けられている。
【０１３３】
スキャナユニット２３は、製版書込み部４Ａにおけるマスタロール２６ａ（図１３には図１参照）のセット・交換やマスタ等のジャム処理作業、あるいは印刷ドラム５１でのマスタや用紙等のジャム処理作業等を可能とするために、上記読取ユニット着脱手段を介してスキャナユニットスライド方向Ｙ３にスライド（摺動）できるようになっている。すなわち、スキャナユニット２３は、図１３に実線で示すように原稿１１の画像読み取りを行う読取ユニットロック位置と、図１３に二点鎖線で示すようにマスタロール２６ａのセット・交換やマスタ２６等のジャム処理作業等を可能とする非読取ユニットロック位置との間で矢印Ｙ３方向に摺動可能かつ開閉可能となっている。スキャナユニット２３が非読取ユニットロック位置を占めた状態では、印刷ドラム５１の版胴外周面に巻装された製版済みのマスタ２６ｃや使用済みのマスタ２６ｄの製版画像の機密情報を見たり、用紙に転写したりする機密情報の収集が可能となる。
【０１３４】
スキャナロック機構１５１は、図１３（ｂ）に詳しく示すように、スキャナユニット２３が本体フレーム２内に装着・セットされているとき、その一端部（図において上端部）がスキャナユニット２３を読取ロック位置に固定すべく被ロック孔１５０ａに嵌入・係合する図１３（ｂ）に実線で示す位置とスキャナユニット２３の本体フレーム２からの離脱を許すべく被ロック孔１５０ａとの係合を解除する図１３（ｂ）に二点鎖線で示す位置との間で支点軸１５６を中心として揺動・変位自在な読取ロック部材としてのロックレバー１５２と、その一端部がロックレバー１５２の他端部に係止されロックレバー１５２の一端部を常に被ロック孔１５０ａに嵌入・係合する向きに付勢する付勢手段としての引張ばね１５３と、ロックレバー１５２の他端部（図において下端部）にピン１５７を介して緩く係止されロックレバー１５２の一端部を被ロック孔１５０ａとの係合を解除する位置に引張ばね１５３の付勢力に抗して引張り・移動させることが可能な読取ロック部材解除駆動手段としてのソレノイド１５４とから主に構成されている。
【０１３５】
引張ばね１５３の他端部は、本体フレーム２側に植設されたピン１５８に係止されている。支点軸１５６は、本体フレーム２側に植設されている。ソレノイド１５４は、本体フレーム２側に固定されている。被ロック孔１５０ａおよびロックレバー１５２の一端部は、スキャナユニット２３が本体フレーム２内に装着・セットされて読取ロック位置を占めたときに互いに係合可能となるそれぞれの位置に設けられている。
【０１３６】
原稿読取部３Ａにおける上記原稿搬送モータ、スキャナロック機構１５１のソレノイド１５４等の制御対象駆動手段を、図１４において原稿画像読取駆動部２２Ａとして総括的に表す。原稿画像読取駆動部２２Ａは、図１２に示した原稿画像読取駆動部２２と比較して、スキャナロック機構１５１のソレノイド１５４を新設した点が主に相違し、他は原稿画像読取駆動部２２と同様である。
【０１３７】
ここで、スキャナユニット２３およびスキャナロック機構１５１の動作を説明しておく。図１３（ａ），（ｂ）において、スキャナユニット２３が図１３（ａ）に実線で示すように読取ユニットロック位置を占めていて、ソレノイド１５４への通電が断たれてオフ状態のときは、図１３（ｂ）に実線で示すように、ロックレバー１５２の一端部が引張ばね１５３の付勢力によって支点軸１５６を中心として時計回りに揺動し、この揺動に伴ってスキャナユニットフレーム１５０の被ロック孔１５０ａに嵌入・係合することにより、スキャナユニット２３が読取ユニットロック位置にロック・固定保持されているため、同図において左側の矢印Ｙ３方向にスライド・開閉することができない。
【０１３８】
一方、スキャナユニット２３が読取ユニットロック位置を占めている状態で、ソレノイド１５４へ通電されてオン状態になると、同図に二点鎖線で示すように、プランジャ１５４ａが引張ばね１５３の付勢力に抗して吸引・引き込まれて、ロックレバー１５２の一端部が支点軸１５６を中心として被ロック孔１５０ａとの係合を解除する反時計回りに離間することで、ロックレバー１５２の一端部が被ロック孔１５０ａから離脱されて、スキャナユニット２３が同図において左側の矢印Ｙ３方向にスライド可能となる。
【０１３９】
図１４を参照して、制御装置１４０周りの制御構成を説明する。
制御装置１４０Ａは、第１の実施形態の制御装置１４０と比較して、ＣＰＵ１４１に代えたＣＰＵ１４１Ａを有する点、ＲＡＭ１４２に代えたＲＡＭ１４２Ａを有する点およびＲＯＭ１４３に代えたＲＯＭ１４３Ａを有する点が主に相違し、他の点は制御装置１４０と同様であり、図示しないタイマおよび図示しない入出力ポートを備えたマイクロコンピュータを具備している。製版駆動部４７Ａは、製版駆動部４７と比較して、製版駆動部４７の上記各制御対象駆動手段からプロッタロック機構３８のソレノイド４２を除去した点が主に相違し、他は製版駆動部４７と同様である。
【０１４０】
ＣＰＵ１４１Ａには、図１２に示したとそれぞれ同様の、画像データ信号と、駆動モータ６５の角度信号と、操作パネル１２５の上記各種キーからの出力信号と、ホームポジションセンサ６９からの出力信号と、機密モード位置センサ７０からの出力信号とが入力される。入力された各信号は、ＲＯＭ１４３Ａに記憶された動作プログラムおよび関係データに基づいてＣＰＵ１４１Ａによって演算処理され、図１２に示したとそれぞれ同様に、主駆動部７２の上記各制御対象駆動手段に、排版駆動部９７の上記各制御対象駆動手段に、ドアロック機構１１４のソレノイド１１７に、また図示しない各種モータ駆動回路等を介して製版駆動部４７Ａの上記各制御対象駆動手段に、図示しない各種モータ駆動回路およびソレノイド駆動回路等を介して原稿画像読取駆動部２２Ａの上記各制御対象駆動手段に、ＣＰＵ１４１Ａからそれぞれ動作・指令信号として出力される。
【０１４１】
ＲＡＭ１４２Ａには、ＣＰＵ１４１ＡによってＲＯＭ１４３Ａより呼び出された動作プログラムが一時的に書き込まれる。書き込まれた動作プログラムは、操作パネル１２５からの入力によって書き換えられる。また、ＲＡＭ１４２Ａには、オペレータ等を含むユーザによって機密保持キー１３８が押されたときにのみ、機密保持モードプログラムが書き込まれる。ＲＡＭ１４２Ａは、例えばバックアップメモリであり、書き込まれた機密保持モードプログラムのみは、孔版印刷装置１のメイン電源が切られても消去されないように構成されている。ＲＡＭ１４２Ａに書き込まれた機密保持モードプログラムは、上記機密保持解除手段によって消去され、機密保持モード解除状態となる。
【０１４２】
ＲＯＭ１４３Ａには、孔版印刷装置１の各制御対象駆動手段（アクチュエータ）を作動させる複数の動作プログラムが記憶されている。各動作プログラムのうち、ユーザによって機密保持キー１３８が押された機密保持モード時においては、印刷スタートキー１２７と試し刷りキー１２８からの入力を無効とする機密保持モードプログラムが記憶されている。ＲＯＭ１４３Ａとしては、上述したと同様にＰＲＯＭやＥＰＲＯＭあるいはＥＥＰＲＯＭを使用したり、これらを適宜併用してもよい。
【０１４３】
ＣＰＵ１４１Ａ（以下、説明の簡明化のため「制御装置１４０Ａ」というときがある）は、機密保持キー１３８からの信号に基づいて、少なくとも一つのユニット（本実施形態では、スキャナユニット２３、ドラムユニット５０、排版ユニット８２）の本体フレーム２からの開放・離脱を阻止するように少なくとも一つのユニットごとに配設されたロック手段（本実施形態では、スキャナユニット２３におけるスキャナロック機構１５１のソレノイド１５４、ドラムユニット５０におけるドラムロック機構５９の駆動モータ６５、排版ユニット８２における排版ロック機構８９のソレノイド９２）を制御する第１の制御手段としての制御機能を有する。また、本実施形態では、ソレノイド９２を備えた排版ロック機構８９を有する排版ユニット８２を具備しているため、排版ロック機構８９のソレノイド９２を制御する第２の制御手段としての制御機能も有する。ＣＰＵ１４１Ａ（制御装置１４０Ａ）は、第１の実施形態における制御装置１４０の第３の制御手段、第４の制御手段と同様の制御機能を有する。
【０１４４】
次に、孔版印刷装置１Ａの動作（工程）について、第１の実施形態の孔版印刷装置１と相違する点を中心に説明する。機密保持キー１３８を押下しないで実行される孔版印刷装置１Ａの通常動作は、第１の実施形態の孔版印刷装置１と実質的に同様に行われ、製版書込み部４および製版ユニット２５に関する記述に代えて、原稿読取部３Ａおよびスキャナユニット２３と読み替えると共に、スキャナユニット２３は図１３（ａ）に実線で示す読取ロック位置を占めているものとし、かつ、制御装置１４０およびＣＰＵ１４１に代えて、制御装置１４０ＡおよびＣＰＵ１４１Ａと読み替えれば容易に理解し実施できるからその説明を省略する。
【０１４５】
機密保持キー１３８を使用した場合の孔版印刷装置１Ａの機密保持モードに係る動作を説明する。まず、機密保持モードを設定して追加印刷を行わない動作例、つまり印刷ドラム５１上に巻装されているマスタが機密を保持する必要のある使用済みのマスタ２６ｄである場合について述べる。
【０１４６】
ユーザは、上述と同様に、製版、版付け、試し刷り、印刷の各工程を経て印刷物を得る。この印刷物の内容が機密を要する場合、ユーザは当然のことながら、機密保持を要する印刷物を第三者に知られたり、見られたりしない状態で上述と同様に、製版、版付け、試し刷り、印刷の各工程を実行することとなる。機密を保持すべき印刷動作完了後に、印刷ドラム５１上に巻装されている使用済みのマスタ２６ｄは、当然のこととして機密情報を持っているから、ユーザは機密を保持すべき印刷動作完了後に機密保持キー１３８を押す。
【０１４７】
機密保持キー１３８が押されると、操作パネル１２５よりＣＰＵ１４１Ａに機密保持モード設定に係る信号が送信され、第１の実施形態と同様の詳細制御動作を経て、ＣＰＵ１４１Ａは主駆動部７２における駆動モータ６５へ動作・指令信号を送り、ホームポジションで停止している印刷ドラム５１を、遮光板６８が機密モード位置センサ７０に検知されるまで所定の角度分だけ回動させて、例えば図５（ｂ）に示したようなドラムギヤ６０と駆動ギヤ６１との噛み合い状態にさせる。これにより、図４に示すドラムユニット抜き出し方向Ｘにドラムギヤ６０ごとドラムユニット５０を抜き出し・離脱することが禁止・阻止され、第１の実施形態と同様の利点が得られる。
【０１４８】
同時に、ＲＡＭ１４２Ａへの機密保持モードプログラムの書き込み動作後、ＣＰＵ１４１Ａは、排版駆動部９７のソレノイド９２、原稿画像読取駆動部２２Ａのソレノイド１５４へ各ソレノイド駆動回路を介してこれらを作動すべき指令信号を送らずに、各ロック位置を保持するように各ソレノイド９２，１５４を制御することで、各ソレノイド９２，１５４を作動させないでオフ状態を保持する。これにより、スキャナユニット２３は図１３（ｂ）において実線で示すように読取ロック位置にロック・固定されることによって、本体フレーム２よりスキャナユニット２３をスライド・開放することが不可能となる。また、排版ユニット８２は、第１の実施形態と同様に排版ユニット８２をして排版ロック位置にロック・固定されるように保持されたままであるから、本体フレーム２より排版ユニット８２を抜き出し・離脱することが不可能となる。従って、印刷ドラム５１に巻装されているままの使用済みのマスタ２６ｄの製版画像（通常は鏡像であるが両面印刷装置等では正像の場合もある）の機密情報そのものを見たり、用紙に転写したりする機密情報の収集を防止することができる。
【０１４９】
これに加えて、同時に、ＲＡＭ１４２Ａへの機密保持モードプログラムの書き込み動作後、ＣＰＵ１４１Ａは、第１の実施形態と同様にドアロック機構１１４のソレノイド１１７へソレノイド駆動回路を介して作動すべき指令信号を送らずに、開閉ロック位置を保持するようにソレノイド１１７を制御することで、前ドアカバー１１１を筐体前フレーム１２０から開放することが不可能となるから、第１の実施形態と同様の利点が得られる。
【０１５０】
以後、ユーザによって印刷スタートキー１２７または試し刷りキー１２８が押されると、操作パネル１２５よりＣＰＵ１４１Ａに信号が送られるが、ＣＰＵ１４１ＡはＲＡＭ１４２Ａに機密モードプログラムが書き込まれていることを認識し、主駆動部７２における上記各制御対象駆動手段へ動作・指令信号を出力しないため、ＣＰＵ１４１Ａの制御の下に孔版印刷装置１Ａは印刷動作と試し刷り動作とを行わない。また、ＣＰＵ１４１Ａは、印刷スタートキー１２７または試し刷りキー１２８が押され、操作パネル１２５からの信号が入力されると、操作パネル１２５に信号を送り、表示装置１３６に印刷不可のメッセージを表示させる。この機密保持モード状態は、上記した機密保持モード解除手段によって機密保持モードが解除されるまで継続される。ＲＡＭ１４２Ａは、上述したようにバックアップメモリであることにより、孔版印刷装置１Ａに電源を供給するための電源スイッチのオフ後においても、上記機密保持状態が保持されることは言うまでもない。
【０１５１】
次に、機密保持キー１３８を使用し機密保持モードを設定して追加印刷を行う動作例、つまり印刷ドラム５１上に巻装されているマスタが機密を保持する必要のある製版済みのマスタ２６ｃである場合について述べる。機密を保持すべき所定印刷枚数の印刷動作完了後に、追加印刷を行いたい場合がある。このようなとき、ユーザは機密保持モード・設定状態を解除するために、機密保持モード解除手段であるテンキー１３０とエンターキー１３１との組み合わせで、例えばテンキー１３０で暗証コードとして「６，７，８，９」をこの順に押下した後、エンターキー１３１を押下することで「６，７，８，９」を確定・設定すると、操作パネル１２５よりＣＰＵ１４１Ａに機密保持モード解除に係る信号が送信される。これにより、ＣＰＵ１４１Ａは、ＲＡＭ１４２Ａに書き込まれた機密モードプログラムを消去すると共に、機密保持キー１３８に内蔵された上記ＬＥＤを消灯させて機密保持モード解除状態であることを表示させ、かつ、主駆動部７２に動作に係る指令信号を送ることで、孔版印刷装置１Ａの印刷部５、給紙部７、排紙部８の上記各制御対象駆動手段を制御することにより、追加印刷動作が可能な状態となる。
【０１５２】
ユーザは上述したと同様に、テンキー１３０で印刷枚数を表示装置１３５に置数し、印刷速度設定キー１３４で印刷速度を設定し、所望する印刷物に合わせて適宜変倍キー１３６ｃ等を押して印刷スタートキー１２７を押すことにより、上記版付け、試し刷りと同様の工程で、給紙、印刷および排紙の各工程が置数・セットした追加印刷枚数分繰り返して行われ、孔版印刷の全工程が終了する。印刷動作完了後、印刷ドラム５１は再びホームポジションに戻る。機密を保持すべき追加印刷動作完了後に、印刷ドラム５１上に巻装されている使用済みのマスタ２６ｄは、当然のこととして機密情報を持っているから、ユーザは機密を保持すべき追加印刷動作完了後に再び機密保持キー１３８を押すこととなる。
【０１５３】
本実施形態では、第１の実施形態で説明した以外に、スキャナロック機構１５１はマスタロール２６ａの交換やマスタのジャム処理時等のためにスライド・開放される際のロック手段を兼ねている他、読取ユニット２３作動時の安全上の配慮（例えば回転駆動中の印刷ドラム５１を始めとした駆動部分からの隔絶のため）からもスキャナロック機構１５１が配設されている。そのため、読取ユニット２３の本体フレーム２からのスライド・開放を許容するための開放設定手段としての開放キーを操作パネル１２５に配設することが望ましい。
【０１５４】
従って、印刷装置の機種に拘わらず、完全に機密情報を保持するためには、機密保持モード設定状態にあっては、第１の実施形態で説明した以外に、開放設定手段としてのスキャナユニット開放キーからの信号が、ＣＰＵ１４１Ａに送信されたとしても、ＣＰＵ１４１Ａはこれを無効化して機密保持モード設定状態を保持するように構成される。そして、機密保持モード解除状態にあっては、第１の実施形態で説明した以外に、スキャナユニット開放キーからの信号が、ＣＰＵ１４１Ａに送信されたとき、ＣＰＵ１４１Ａは、スキャナユニット開放キーからの信号に基づいて原稿画像読取駆動部２２Ａのソレノイド１５４を作動すべくオン制御することにより図１３（ｂ）に二点鎖線で示すロック解除状態（アンロック状態）にすることで、上記した必要な処理・操作を行えるようになる。
【０１５５】
装置構成が第１の実施形態や第２の実施形態よりも複雑化してコストアップしても構わないのであれば、第１の実施形態のプロッタロック機構３８、ドラムロック機構５９、排版ロック機構８９およびドアロック機構１１４に、スキャナロック機構１５１を加えて、機密保持モードが設定されたとき、上記全てのロック機構３８，５９，８９，１１４，１５１をしてロック作動するように制御しても構わない（請求項１、５、６参照）。なお、読取ユニットおよびそのロック手段は、スキャナユニット２３およびスキャナロック機構１５１に限らず、例えば実開平４−３９０２３号公報に開示されているような揺動・開閉方式のユニットにスキャナロック機構１５１に類似のロック手段を配設することにより上述したと同様に構成し動作させることができる。
【０１５６】
（第３の実施形態）
第３の実施形態は、第１の実施形態を示す各図を借りて説明すると、第１の実施形態と比較して、プロッタユニット２５のユニット構成、プロッタロック機構３８、排版ユニット８２のユニット構成、排版ロック機構８９を除去して、ドラムユニット５０、ドラムロック機構５９および前ドアカバー１１１のドアロック機構１１４を有し（請求項８参照）、機密保持キー１３８の押下により機密保持モードが設定されたとき、ドラムユニット５０の本体フレーム２からの離脱を阻止するようにドラムロック機構５９を制御し、かつ、ドアカバー１１１の開放を阻止するようにドアロック機構１１４を制御する第６の制御手段としてのマイクロコンピュータを備えて構成された制御装置（図示せず）を具備する孔版印刷装置である。第３の実施形態の細部構成および動作は、第１の実施形態から容易に理解して実施できるからこれ以上の説明を省略する。
【０１５７】
（第４の実施形態）
第４の実施形態は、第１の実施形態を示す各図を借りて説明すると、第３の実施形態と比較して、さらにドラムユニット５０のユニット構成およびドラムロック機構５９を除去して、印刷ドラム５１を覆う位置と印刷ドラム５１を露出する位置との間で開閉自在に配設された開閉手段としての前ドアカバー１１１およびそのドアロック機構１１４を有し（請求項９参照）、機密保持キー１３８の押下により機密保持モードが設定されたとき、ドアロック機構１１４をしてロック作動するように制御する第７の制御手段としてのマイクロコンピュータを備えて構成された制御装置（図示せず）を具備する孔版印刷装置である。この場合の印刷ドラム５１は、本体フレーム２から離脱できない構成であり、例えばＡ４サイズの用紙のみを用いて印刷可能な専用機等を含む。第４の実施形態の細部構成および動作は、第１および第３の実施形態から容易に理解して実施できるからこれ以上の説明を省略する。なお、第４の実施形態の開閉手段には、その機能から見て、図１３に示したスキャナユニット２３を有する孔版印刷装置の場合にはスキャナユニット２３が含まれる。
【０１５８】
図１５に、ドラムロック機構の変形例を示す。
図１５において、符号５９Ａはドラムロック機構を示す。ドラムロック機構５９Ａは、例えば本願出願人が提案した特開２００１−１０１８９号公報の図４、図５に示され、段落「００７２」ないし「００７６」に記載されている版胴駆動手段（８０）および着脱駆動部と実質的に同じである。図１５において、符号７３は、ドラムギヤ６０に代えて、ドラムユニット５０側の後フレームに固着され切欠部７３ａを備えた円環部を示す。符号７４は、駆動モータ６５側の駆動ギヤ６１に代えて、歯付プーリ６２に一体的に取付けられ駆動モータ６５の回転駆動力が伝達される版胴駆動板７４を示す。符号７４ａは版胴駆動板７４と一体成形された突起部を、符号７４ｂは版胴駆動板７４の突起部７４ａに開けられたピン孔を、符号７５は印刷ドラム５１の端板５１ａに植設・固着された嵌合ピンをそれぞれ示す。
【０１５９】
ドラムユニット５０を図示しないドラムユニット着脱手段を介して本体フレーム２に挿入しセットするとき、図１５（ａ）に示すように上記後フレーム側の円環部７３の切欠部７３ａと版胴駆動板７４の突起部７４ａとの位置が合った状態で、円環部７３の内側に版胴駆動板７４が嵌入されると同時に、印刷ドラム５１側の嵌合ピン７５が版胴駆動板７４側のピン孔７４ｂに嵌入することにより、駆動モータ６５の回転駆動力が印刷ドラム５１に伝達可能な状態となり、この状態で駆動モータ６５が時計回り方向または反時計回り方向に所定の回転をすると、図１５（ｂ）において版胴駆動板７４の突起部７４ａの回転位置が上記後フレーム側の切欠部７３ａに対してずれるから、ドラムユニット５０が本体フレーム２からドラムユニット抜き出し方向Ｘに離脱不能なロック状態に保持されることとなる。
【０１６０】
ドラムロック機構５９，５９Ａは、これらに限らず、例えば本願出願人が提案した特開平８−１８３２３８号公報の図６および図７に示され段落「００５１」ないし「００５９」に記載されている離脱禁止機構（９２）を用いてもよい。
【０１６１】
図１６に、機密保持キー１３８に代えた機密保持モード設定手段の変形例を示す。
図１６に示す機密保持モード設定手段は、原稿１１の画像を読み取る原稿読取手段としての画像センサ２１と、原稿１１の画像面側の特定領域である例えば図１６における原稿１１の右上余白部１４６（破線で示す）に形成された読み取り可能な標識としての例えば黒色の輪環マーク１４７と、画像センサ２１からの輪環マーク１４７の読み取りに係る信号に基づいて、機密保持モードを自動的に設定する第５の制御手段としての制御装置１４０，１４０Ａ（以下、第１の実施形態の制御装置１４０で代表する）とから主に構成される。
【０１６２】
標識は、黒色の輪環マーク１４７に限らず、画像センサ２１で読み取り可能なものおよび範囲のものであれば、黒色以外の赤等の有色の輪環マーク１４７であってもよく、また形状は矩形状等でもよく、また丸付きの「秘」や「機密」文字、「シークレット」文字、丸付きの「Ｓ」文字、あるいはバーコード等でも構わない。
【０１６３】
制御装置１４０には、機密保持モードを自動的に設定するという基本的な制御機能の他に、次の制御機能を付与するとよい。すなわち、輪環マーク１４７を含む原稿１１の画像の読み取りは製版動作と並行してもしくは少し遅れて製版動作が行われるから、機密保持モードは製版スタートキー１２６等の押下による製版条件の設定後に設定される。従って、機密を保持すべき版付け印刷物を含む機密を保持すべき正規の印刷物を得るためには、輪環マーク１４７を含む原稿１１の画像の読み取りによって機密保持モードが設定されても、版付けを含む印刷条件の設定を可能として設定された印刷枚数の印刷を行えるようにする必要がある。このような点に着目して、制御装置１４０は、画像センサ２１からの輪環マーク１４７の読み取りに係る信号に基づいて、機密保持モードを自動的に設定した後、印刷条件の設定を可能とするようにテンキー１３０、印刷スタートキー１２７からの信号に基づいて、所定の印刷を実行するように主制御部７２を制御する制御機能を付与すればよい。以下の動作は、上記各実施形態と同様に行われる。
【０１６４】
図１６に示した機密保持モード設定手段によれば、機密が漏れては困る第三者に対して、視認できる機密保持キー１３８を除去することが可能となるから、機密保持機能をさらに高めることができると共に、ユーザが機密を要する所定の印刷終了後に機密保持キー１３８を押すのを忘れてしまって機密保持モード解除（通常モード）となってしまうことで、上記した機密情報の漏洩をさらに確実に防止することができる。図１６に示した機密保持モード設定手段は、機密保持キー１３８と併用して配設し、適宜切り替えて使い分けるようにしてもよい。
【０１６５】
上述したプロッタロック機構３８における引張ばね４１とソレノイド４２との組み合わせ、排版ロック機構８９における引張ばね９１とソレノイド９２との組み合わせ、ドアロック機構１１４における引張ばね１１６およびソレノイド１１７との組み合わせは、これに限らず、電源オフ状態でも各ロック作動状態を行える永久磁石を備えたいわゆるキープソレノイドに置き換えても構わない。また、製版に用いる画像信号データは、孔版印刷装置１，１Ａに配設された図示しないコントローラを介して通信可能に接続されたパソコンを含むコンピュータから送信されるものであってもよい。
【０１６６】
上述した構成例および動作例に限らず、機密保持キー１３８や図１６に示した機密保持モード設定手段により機密保持モードが設定された時、機密保持したいユニットや開閉手段のロック機構だけを選択的に設定（全ユニットのロック機構３８，５９，８９，１５１およびドアロック機構１１４またはこれらの２つ以上の組み合わせ）してロックできるように、例えば図１１に示した表示装置１３６の階層表示構造を利用したタッチパネル方式等で構成してもよい。
【０１６７】
上述した構成例および動作例に限らず、マスタや用紙のジャム処理、サプライ（マスタやインキ等）の交換、排版ボックス内の排版破棄等の場合は、操作パネルの各種キーで暗証コード入力後、機密モードを解除したいユニットや開閉手段のロック機構だけを選択的に設定（全ユニットのロック機構３８，５９，８９，１５１およびドアロック機構１１４またはこれらの２つ以上の組み合わせ）した後、その処理を行うように構成してもよい。また、機密モードを解除後、選択的に排版を行うように構成してもよい。
【０１６８】
本発明に係る印刷装置は、上記実施形態の孔版印刷装置に限らず、例えば、特開平７−１７０１３号公報（特許第２７９０９６３号公報）に開示されているような印刷ドラムの外側からインキを供給する構成のもの、つまり印刷ドラム上のマスタにインキを供給して、印刷画像を用紙上に形成するいわば凹版印刷装置とも呼べるような構成の印刷装置にも準用できる。すなわち、所定の印刷終了後に印刷ドラム上に機密保持を要する製版済みの版や使用済みの版を残しておく虞のある印刷装置であればどのようなタイプの装置にも適用ないしは準用可能である。
【０１６９】
以上述べたとおり、本発明を特定の実施形態や実施例等について説明したが、本発明の構成は、上述した実施形態等に限定されるものではなく、これらを適宜組み合わせて構成してもよく、本発明の範囲内において、その必要性および目的・用途等に応じて種々の実施形態や実施例を構成し得ることは当業者ならば明らかである。
【図面の簡単な説明】
【０１７０】
【図１】本発明の第１の実施形態を示す孔版印刷装置の一部断面正面図である。
【図２】（ａ）はプロッタロック機構の要部の正面図、（ｂ）は（ａ）のｂ−ｂ線階段断面図である。
【図３】（ａ）はプロッタロック機構のロック状態の側面図、（ｂ）は同アンロック状態の側面図である。
【図４】ドラムロック機構を示す要部の斜視図である。
【図５】（ａ）はドラムロック機構のアンロック状態の側面図、（ｂ）は同ロック状態の側面図である。
【図６】排版ユニットの外観を示す簡略的な斜視図である。
【図７】排版ロック機構のロック状態、アンロック状態を示す一部断面側面図である。
【図８】前ドアカバーおよびドアロック機構を示す簡略的な斜視図である。
【図９】（ａ）はドアロック機構の要部の正面図、（ｂ）は（ａ）のｂ−ｂ線階段断面図である。
【図１０】（ａ）はドアロック機構のロック状態の正面図、（ｂ）は同アンロック状態の正面図である。
【図１１】孔版印刷装置の操作パネルを示す平面図である。
【図１２】第１の実施形態における孔版印刷装置の制御構成を示すブロック図である。
【図１３】（ａ）はスキャナユニットおよびスキャナロック機構の簡略的な正面図、（ｂ）はスキャナロック機構のロック状態、アンロック状態を示す一部断面側面図である。
【図１４】第２の実施形態における孔版印刷装置の制御構成を示すブロック図である。
【図１５】（ａ）はドラムロック機構の変形例を示す断面図であってアンロック状態を、（ｂ）は同ロック状態の断面図である。
【図１６】機密保持モード設定手段の変形例に係る原稿の輪環マークを説明する平面図である。
【符号の説明】
【０１７１】
１、１Ａ    印刷装置の一例としての孔版印刷装置
２    装置本体としての本体フレーム
３、３Ａ  原稿読取部
４、４Ａ  製版書込み部
５    印刷部
６    排版部
７    給紙部
１１  原稿
２１  画像読取手段としての画像センサ
２２  原稿画像読取駆動部
２３  読取ユニットとしてのスキャナユニット
２５  製版ユニットとしてのプロッタユニット
２６  印刷用版としてのマスタ
２６ｃ  製版済みの版としての製版済みのマスタ
２６ｄ  使用済みの版としての使用済みのマスタ
３８    製版ユニットに対応して配設されたロック手段としてのプロッタロック機構
４２  ソレノイド
４７、４７Ａ  製版駆動部
５０  ドラムユニット
５１  印刷ドラム
５９、５９Ａ  ドラムユニットに対応して配設されたロック手段としてのドラムロック機構
６０    ドラムギヤ
６１    駆動ギヤ
６１ａ  ギヤ部
６１ｂ  フランジ部
６１ｃ  切欠部
６５    駆動モータ
７２    主駆動部
７３    円環部
７３ａ  切欠部
７４    版胴駆動板
７４ａ  突起部
８２  排版ユニット
８３  収納手段としての排版ボックス
８９  排版ユニットに対応して配設されたロック手段としての排版ロック機構
９２  ソレノイド
９７  排版駆動部
１１１  開閉手段としての前ドアカバー
１１４  開閉ロック手段としてのドアロック機構
１１７  ソレノイド
１２５  操作パネル
１２６  製版スタートキー
１２７  印刷スタートキー
１２８  試し刷りキー
１３０  機密保持モード解除手段を構成するテンキー
１３１  機密保持モード解除手段を構成するエンターキー
１３８  機密保持モード設定手段としての機密保持キー
１４０、１４０Ａ  第１ないし第５の制御手段としての制御装置
１４１、１４１Ａ  第１ないし第５の制御手段を構成するＣＰＵ
１４６  特定領域としての右上余白部
１４７  標識としての輪環マーク
１５１  読取ユニットに対応して配設されたロック手段としてのスキャナロック機構
Ｓ    用紙
【図１】
2005153224.tif 000003
【図２】
2005153224.tif 000004
【図３】
2005153224.tif 000005
【図４】
2005153224.tif 000006
【図５】
2005153224.tif 000007
【図６】
2005153224.tif 000008
【図７】
2005153224.tif 000009
【図８】
2005153224.tif 000010
【図９】
2005153224.tif 000011
【図１０】
2005153224.tif 000012
【図１１】
2005153224.tif 000013
【図１２】
2005153224.tif 000014
【図１３】
2005153224.tif 000015
【図１４】
2005153224.tif 000016
【図１５】
2005153224.tif 000017
【図１６】
2005153224.tif 000018